(57)【特許請求の範囲】
【請求項１】
第一の始動領域と、
第二の始動領域と、
可変入賞手段と、
第一の図柄変動を少なくとも表示可能な第一の図柄表示手段と、
第二の図柄変動を少なくとも表示可能な第二の図柄表示手段と、
第一の保留アイコンを少なくとも表示可能な保留表示手段と、
前記第一の図柄表示手段を少なくとも制御可能な第一の制御手段と、
前記保留表示手段を少なくとも制御可能な第二の制御手段と、
を備えた遊技台であって、
前記第一の制御手段は、前記第二の図柄表示手段を少なくとも制御可能なものであり、
前記保留表示手段は、第二の保留アイコンを少なくとも表示可能なものであり、
前記第一の制御手段は、第一の保留条件の成立があった場合に、前記第一の図柄変動の開始を保留する制御を少なくとも実行可能なものであり、
前記第一の制御手段は、第二の保留条件の成立があった場合に、前記第二の図柄変動の開始を保留する制御を少なくとも実行可能なものであり、
前記第一の保留条件は、前記第一の始動領域に遊技球が進入した場合に、成立する場合がある条件であり、
前記第二の保留条件は、前記第二の始動領域に遊技球が進入した場合に、成立する場合がある条件であり、
前記第一の保留アイコンは、前記第一の図柄変動の開始が保留されていることを少なくとも表すものであり、
前記第二の保留アイコンは、前記第二の図柄変動の開始が保留されていることを少なくとも表すものであり、
前記保留表示手段は、開始が保留されている前記第一の図柄変動の数と同じ数の前記第一の保留アイコンを少なくとも表示可能なものであり、
前記保留表示手段は、開始が保留されている前記第二の図柄変動の数と同じ数の前記第二の保留アイコンを少なくとも表示可能なものであり、
前記第二の図柄変動は、前記第一の図柄変動よりも優先して開始されるものであり、
前記保留表示手段は、前記第一の保留アイコンを第一の表示態様で少なくとも表示可能なものであり、
前記保留表示手段は、前記第一の保留アイコンを第二の表示態様で少なくとも表示可能なものであり、
前記保留表示手段は、前記第一の保留アイコンを第三の表示態様で少なくとも表示可能なものであり、
前記保留表示手段は、先読み予告として、前記第一の保留アイコンを前記第二の表示態様で表示するものであり、
前記保留表示手段は、先読み予告として、前記第一の保留アイコンを前記第三の表示態様で表示するものであり、
前記可変入賞手段は、前記第一の図柄表示手段に大当り図柄が停止表示された場合に、大当り動作を少なくとも実行可能なものであり、
前記可変入賞手段は、前記第一の図柄表示手段にハズレ図柄が停止表示された場合に、前記大当り動作を実行しないものであり、
前記保留表示手段は、第一の状態において、前記第三の表示態様で前記第一の保留アイコンの表示を少なくとも開始可能なものであり、
前記保留表示手段は、第二の状態において、前記第二の表示態様で前記第一の保留アイコンの表示を少なくとも開始可能なものであり、
前記保留表示手段は、前記第二の状態において、前記第三の表示態様で前記第一の保留アイコンの表示を少なくとも開始可能なものであり、
前記第一の状態は、前記第一の図柄表示手段に、前記大当り図柄が停止表示される前記第一の図柄変動が表示されている状態であり、
前記第二の状態は、前記第一の図柄表示手段に、前記ハズレ図柄が停止表示される前記第一の図柄変動が表示されている状態であり、
前記第二の表示態様で表示された前記第一の保留アイコンと対応する前記第一の図柄変動は、前記大当り図柄が必ず停止表示されるものであり、
前記第三の表示態様で表示された前記第一の保留アイコンと対応する前記第一の図柄変動は、前記大当り図柄が停止表示される場合があるものであり、
前記第三の表示態様で表示された前記第一の保留アイコンと対応する前記第一の図柄変動は、前記ハズレ図柄が停止表示される場合があるものであり、
前記保留表示手段は、前記第一の状態において、前記第二の表示態様で前記第一の保留アイコンの表示を開始しないものである、
ことを特徴とする遊技台。
【請求項２】
請求項１に記載の遊技台であって、
電サポ状態に少なくとも移行可能なものであり、
非電サポ状態に少なくとも移行可能なものであり、
電チューを備え、
前記電チューは、前記第二の始動領域に少なくとも設けられたものであり、
前記電サポ状態とは、前記非電サポ状態よりも前記電チューの開放時間が長くなりやすい状態のことであり、
前記第一の状態は、前記非電サポ状態において、前記第一の図柄表示手段に、前記大当り図柄が停止表示される前記第一の図柄変動が表示されている状態であり、
前記第二の状態は、前記非電サポ状態において、前記第一の図柄表示手段に、前記ハズレ図柄が停止表示される前記第一の図柄変動が表示されている状態である、
ことを特徴とする遊技台。
【請求項３】
請求項２に記載の遊技台であって、
前記保留表示手段は、前記非電サポ状態において、前記第一の保留アイコンを前記第二の表示態様で少なくとも表示可能なものであり、
前記保留表示手段は、前記非電サポ状態において、前記第一の保留アイコンを前記第三の表示態様で少なくとも表示可能なものであり、
前記保留表示手段は、前記電サポ状態において、前記第一の保留アイコンを前記第二の表示態様で表示しないものであり、
前記保留表示手段は、前記電サポ状態において、前記第一の保留アイコンを前記第三の表示態様で表示しないものである、
ことを特徴とする遊技台。
【請求項４】
請求項１乃至請求項３のうちいずれか１項に記載の遊技台であって、
前記保留表示手段は、前記第二の表示態様で前記第一の保留アイコンを表示するよりも高い頻度で、前記第一の表示態様で前記第一の保留アイコンを表示するものであり、
前記保留表示手段は、前記第三の表示態様で前記第一の保留アイコンを表示するよりも高い頻度で、前記第一の表示態様で前記第一の保留アイコンを表示するものである、
ことを特徴とする遊技台。
【請求項５】
請求項１乃至請求項４のうちいずれか１項に記載の遊技台であって、
前記第二の制御手段は、前記第一の制御手段から送信されたコマンドを少なくとも受信可能なものであり、
前記第二の制御手段は、前記コマンドに基づいて少なくとも動作するものである、
ことを特徴とする遊技台。
【発明の詳細な説明】
【技術分野】
【０００１】
本発明は、弾球遊技機（パチンコ機）や回胴遊技機（スロットマシン）に代表される遊技台に関する。
【背景技術】
【０００２】
パチンコ機などの遊技台では、遊技盤の遊技領域に遊技球の落下の方向に変化を与える障害物や、遊技球が進入可能な入賞領域、始動領域や、可変入賞口などを設けているのが一般的である。これらに遊技球が進入すると賞球を払い出すなど遊技者に特典が与えられるようになっている。
【０００３】
また、こういった遊技台では、始動領域に遊技球が進入すると、図柄表示装置の図柄を所定時間変動して、変動後の図柄が予め定めた停止図柄態様になった場合に、可変入賞口を所定時間開放させる等、遊技者に有利な遊技状態を発生させるようにしている（例えば、特許文献１参照）。
【０００４】
遊技台では、この遊技者に有利な遊技状態の発生の有無を制御することにより、遊技者が上述の特典を得る機会を増減させることで遊技の興趣を向上させるようにしている。さらに、昨今の遊技台では、図柄表示装置における図柄の停止図柄態様が遊技者に有利な停止図柄態様になるかを、図柄の変動開始前に事前に予告する予告演出を行い、遊技の興趣をさらに向上させようとしている。
【先行技術文献】
【特許文献】
【０００５】
【特許文献１】特開２００８−２００３０２号公報
【発明の概要】
【発明が解決しようとする課題】
【０００６】
しかしながら、遊技の興趣を向上させようとするばかりに、遊技台における演出内容の仕組み等について詳しく知っている者（上級者）ばかりが有利になってしまうことがあり、遊技者の熟練度に応じて利益に差が生じ、遊技の公平性を担保できない場合があった。
【０００７】
本発明は上記事情に鑑み、予告演出によって遊技の興趣を高めながらも遊技者の熟練度により利益に差を生じさせずに、遊技の公平性を担保することができる遊技台を提供することを目的とする。
【課題を解決するための手段】
【０００８】
上記目的を解決する本発明の遊技台は、
第一の始動領域と、
第二の始動領域と、
可変入賞手段と、
第一の図柄変動を少なくとも表示可能な第一の図柄表示手段と、
第二の図柄変動を少なくとも表示可能な第二の図柄表示手段と、
第一の保留アイコンを少なくとも表示可能な保留表示手段と、
前記第一の図柄表示手段を少なくとも制御可能な第一の制御手段と、
前記保留表示手段を少なくとも制御可能な第二の制御手段と、
を備えた遊技台であって、
前記第一の制御手段は、前記第二の図柄表示手段を少なくとも制御可能なものであり、
前記保留表示手段は、第二の保留アイコンを少なくとも表示可能なものであり、
前記第一の制御手段は、第一の保留条件の成立があった場合に、前記第一の図柄変動の開始を保留する制御を少なくとも実行可能なものであり、
前記第一の制御手段は、第二の保留条件の成立があった場合に、前記第二の図柄変動の開始を保留する制御を少なくとも実行可能なものであり、
前記第一の保留条件は、前記第一の始動領域に遊技球が進入した場合に、成立する場合がある条件であり、
前記第二の保留条件は、前記第二の始動領域に遊技球が進入した場合に、成立する場合がある条件であり、
前記第一の保留アイコンは、前記第一の図柄変動の開始が保留されていることを少なくとも表すものであり、
前記第二の保留アイコンは、前記第二の図柄変動の開始が保留されていることを少なくとも表すものであり、
前記保留表示手段は、開始が保留されている前記第一の図柄変動の数と同じ数の前記第一の保留アイコンを少なくとも表示可能なものであり、
前記保留表示手段は、開始が保留されている前記第二の図柄変動の数と同じ数の前記第二の保留アイコンを少なくとも表示可能なものであり、
前記第二の図柄変動は、前記第一の図柄変動よりも優先して開始されるものであり、
前記保留表示手段は、前記第一の保留アイコンを第一の表示態様で少なくとも表示可能なものであり、
前記保留表示手段は、前記第一の保留アイコンを第二の表示態様で少なくとも表示可能なものであり、
前記保留表示手段は、前記第一の保留アイコンを第三の表示態様で少なくとも表示可能なものであり、
前記保留表示手段は、先読み予告として、前記第一の保留アイコンを前記第二の表示態様で表示するものであり、
前記保留表示手段は、先読み予告として、前記第一の保留アイコンを前記第三の表示態様で表示するものであり、
前記可変入賞手段は、前記第一の図柄表示手段に大当り図柄が停止表示された場合に、大当り動作を少なくとも実行可能なものであり、
前記可変入賞手段は、前記第一の図柄表示手段にハズレ図柄が停止表示された場合に、前記大当り動作を実行しないものであり、
前記保留表示手段は、第一の状態において、前記第三の表示態様で前記第一の保留アイコンの表示を少なくとも開始可能なものであり、
前記保留表示手段は、第二の状態において、前記第二の表示態様で前記第一の保留アイコンの表示を少なくとも開始可能なものであり、
前記保留表示手段は、前記第二の状態において、前記第三の表示態様で前記第一の保留アイコンの表示を少なくとも開始可能なものであり、
前記第一の状態は、前記第一の図柄表示手段に、前記大当り図柄が停止表示される前記第一の図柄変動が表示されている状態であり、
前記第二の状態は、前記第一の図柄表示手段に、前記ハズレ図柄が停止表示される前記第一の図柄変動が表示されている状態であり、
前記第二の表示態様で表示された前記第一の保留アイコンと対応する前記第一の図柄変動は、前記大当り図柄が必ず停止表示されるものであり、
前記第三の表示態様で表示された前記第一の保留アイコンと対応する前記第一の図柄変動は、前記大当り図柄が停止表示される場合があるものであり、
前記第三の表示態様で表示された前記第一の保留アイコンと対応する前記第一の図柄変動は、前記ハズレ図柄が停止表示される場合があるものであり、
前記保留表示手段は、前記第一の状態において、前記第二の表示態様で前記第一の保留アイコンの表示を開始しないものである、
ことを特徴とする。
【発明の効果】
【０００９】
本発明の遊技台によれば、予告演出によって遊技の興趣を高めながらも遊技者の熟練度により利益に差を生じさせずに、遊技の公平性を担保することができる。
【図面の簡単な説明】
【００１０】
【図１】パチンコ機１００を正面側（遊技者側）から見た外観斜視図である。
【図２】パチンコ機１００を裏側から見た外観斜視図である。
【図３】遊技盤２００を正面側（遊技者側）から見た略示正面図である。
【図４】制御部の回路ブロック図を示したものである。
【図５】（ａ）は特図の停止図柄態様の一例を示したものであり、（ｂ）は装飾図柄の一例を示したものであり、（ｃ）は普図の停止表示図柄の一例を示したものである。
【図６】（ａ）は主制御部メイン処理の流れを示すフローチャートであり、（ｂ）は主制御部タイマ割込処理の流れを示すフローチャートである。
【図７】図６（ｂ）に示す入賞判定処理（ステップＳ２０９）の流れを示すフローチャートである。
【図８】主制御部３００のＣＰＵ３０４が実行する特図先読み処理の流れを示すフローチャートである。
【図９】（ａ）は特図先読み処理で用いられる当否事前判定用テーブルを示す図であり、（ｂ）は同じく特図先読み処理で用いられる特図事前判定用テーブルを示す図であり、（ｃ）は特図先読み処理で用いられる変動タイマ種別事前判定用テーブルを示す図である。
【図１０】（ａ）は主制御部３００のＲＡＭ３０８における特図１事前判定結果記憶領域に事前判定情報が記憶されている一例を示す図であり、（ｂ）は主制御部３００のＲＡＭ３０８における特図２事前判定結果記憶領域に事前判定情報が記憶されている一例を示す図であり、（ｃ）は電サポ中の特図１事前判定結果記憶領域３０８１の一例を示す図である。
【図１１】（ａ）は特図関連抽選処理で用いられる当否決定用テーブルを示す図であり、（ｂ）は特図関連抽選処理で用いられる特図決定用テーブルを示す図であり、（ｃ）は特図関連抽選処理で用いられる変動タイマ種別決定用テーブルを示す図である。
【図１２】（ａ）は主制御部３００のＲＯＭ３０６に記憶されているタイマ番号決定用テーブルを示す図であり、（ｂ）はタイマ番号と特図変動時間の関係を示す図である。
【図１３】（ａ）は第１副制御部４００のＣＰＵ４０４が実行するメイン処理のフローチャートであり、（ｂ）は第１副制御部４００のコマンド受信割込処理のフローチャートであり、（ｃ）は第１副制御部４００のタイマ割込処理のフローチャートであり、（ｄ）は第１副制御部４００における演出制御処理の流れを示すフローチャートであり、（ｅ）は（ｄ）に示す先読み報知処理の流れを示すフローチャートである。
【図１４】第１副制御部４００のＲＯＭ４０６に記憶されている先読み演出報知態様決定テーブルを示す図である。
【図１５】特図２優先変動が行われる、いわゆる右打ちタイプの従来の遊技台における先読み演出の一例を示す図である。
【図１６】本実施形態のパチンコ機における演出の一例を示す図である。
【図１７】第２実施形態における特図先読み処理の流れを示すフローチャートである。
【図１８】特図２優先変動が行われる、いわゆる右打ちタイプの従来の遊技台における先読み演出の、図１５に示す例とは異なる一例を示す図である。
【図１９】第２実施形態のパチンコ機における演出の一例を示す図である。
【図２０】第３実施形態における特図先読み処理の流れを示すフローチャートである。
【図２１】（ａ）は第３実施形態において用いられる変動タイマ種別事前判定用テーブルを示す図であり、（ｂ）は第３実施形態における特図１事前判定結果記憶領域に事前判定情報が記憶されている一例を示す図である。
【図２２】（ａ）は第３実施形態におけるタイマ番号決定用テーブルを示す図であり、（ｂ）は第３実施形態におけるタイマ９および１０と特図変動時間の関係を示す図であり、（ｃ）は第３実施形態における先読み演出報知態様決定テーブルを示す図である。
【図２３】本発明を適用可能なスロットマシンの一例を示す図である。
【図２４】本発明を適用可能なその他の例を示す図である。
【発明を実施するための形態】
【００１１】
以下、図面を用いて、本発明に係る遊技台（例えば、パチンコ機１００等の弾球遊技機やスロット機等の回胴遊技機）について詳細に説明する。
［実施形態１］
＜全体構成＞
まず、図１を用いて、本発明の第１実施形態に係るパチンコ機１００の全体構成について説明する。なお、同図はパチンコ機１００を正面側（遊技者側）から見た外観斜視図である。
【００１２】
パチンコ機１００は、所定条件が成立すると遊技者が利益を獲得することができる遊技台であって、外枠１０２と、本体１０４と、前面枠扉１０６と、球貯留皿付扉１０８と、発射装置１１０と、遊技盤２００と、をその前面（遊技者側）に備える。
【００１３】
外枠１０２は、遊技機設置営業店に設けられた設置場所（島設備等）へと固定させるための縦長方形状から成る木製の枠部材である。
【００１４】
本体１０４は、外枠１０２の内部に備えられ、施錠機能付きで且つ、ヒンジ部１１２を介して外枠１０２に回動自在に装着された縦長方形状の遊技機基軸体となる扉部材である。また、本体１０４は、枠状に形成され、内側に空間部１１４を有している。このパチンコ機１００を設置した店舗（遊技店）の店員は、この本体１０４を開閉操作することが可能であり、本体１０４が開いたことを検出する本体開放センサ１０４１が設けられている。
【００１５】
前面枠扉１０６は、施錠機能付きで且つ開閉自在となるようにパチンコ機１００の前面側となる本体１０４の前面に対しヒンジ部１１２を介して装着され、枠状に構成されることでその内側を開口部１１６とした扉部材である。遊技店の店員は、この前面枠扉１０６も開閉操作することが可能であり、前面枠扉１０６が開いたことを検出する前面枠扉センサ１０６１も設けられている。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４が設けられる空間を区画形成する。なお、本実施形態では、光源をＬＥＤとするものもランプと称する。
【００１６】
球貯留皿付扉１０８は、パチンコ機１００の前面において本体１０４の下側に対して、施錠機能付きで且つ開閉自在となるように装着された扉部材である。この球貯留皿付扉１０８は、前面枠扉１０６を開放した状態で操作可能となる開放レバー１０８１を押すことによって開く。また、球貯留皿付扉１０８が開いたことを検出する球貯留皿付扉センサ１０８２も設けられている。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤の遊技領域１２４へと打ち出す球発射ハンドル１３４と、遊技者の操作によって各種演出装置２０６（図２参照）の演出態様に変化を与えるチャンスボタン１３６と、チャンスボタン１３６に内蔵され、そのチャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。また、図１に示すパチンコ機１００には、下皿１２８が遊技球によって満タンになったことを検知する下皿満タン検知センサ（不図示）が設けられている。
【００１７】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。この発射装置１１０は、遊技者に球発射ハンドル１３４が継続的に発射操作されている間は、所定の発射期間（例えば０．６秒）の経過ごとに遊技球を遊技盤の遊技領域１２４へ向けて発射し、発射手段の一例に相当する。
【００１８】
遊技盤２００は、前面に遊技領域１２４を有し、本体１０４の空間部１１４に臨むように、所定の固定部材を用いて本体１０４に着脱自在に装着されている。遊技領域１２４は、遊技盤２００を本体１０４に装着した後、開口部１１６から観察することができる。なお、図１では遊技領域１２４の具体的構成は図示省略してあり、その具体的構成は図３に示す。
【００１９】
図２は、図１のパチンコ機１００を背面側から見た外観図である。
【００２０】
パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２１】
払出装置１５２は、筒状の部材からなり、その内部には、不図示の払出モータとスプロケットと払出センサとを備えている。この払出装置１５２は、着脱自在なものであり、所定位置に装着されると、タンクレール１５４の下流端に接続する。
【００２２】
スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。すなわち、払出装置１５２は、遊技球に駆動力を与えてその遊技球を搬送する球送り装置の一種である。
【００２３】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。この払出センサを通過した遊技球は、不図示の球レールを通過してパチンコ機１００の前面側に配設した上皿１２６に到達するように構成しており、パチンコ機１００は、所定の付与条件が成立したことに基づいて遊技者にその付与条件に応じた量の遊技価値（遊技球）をこの構成により付与する（払い出す）。
【００２４】
払出装置１５２の図中左側には、遊技全般の制御処理を行う主制御部３００（図４参照）を構成する主基板１５６を収納する主基板ケース１５８、主制御部３００が生成した処理情報に基づいて演出に関する制御処理を行う第１副制御部４００（図４参照）を構成する第１副基板１６０を収納する第１副基板ケース１６２、第１副制御部４００が生成した処理情報に基づいて演出に関する制御処理を行う第２副制御部５００（図４参照）を構成する第２副基板１６４を収納する第２副基板ケース１６６、遊技球の払出に関する制御処理を行う払出制御部６００（図４参照）を構成するとともに遊技店員の操作によってエラーを解除するエラー解除スイッチ１６８を備える払出基板１７０を収納する払出基板ケース１７２、遊技球の発射に関する制御処理を行う発射制御部６３０（図４参照）を構成する発射基板１７４を収納する発射基板ケース１７６、各種電気的遊技機器に電源を供給する電源管理部６６０（図４参照）を構成するとともに遊技店員の操作によって電源をオンオフする電源スイッチ１７８と電源投入時に操作されることによってＲＡＭクリア信号を主制御部３００に出力するＲＡＭクリアスイッチ１８０とを備える電源基板１８２を収納する電源基板ケース１８４、および払出制御部６００とカードユニットとの信号の送受信を行うＣＲインターフェース部１８６を配設している。
【００２５】
図３は、遊技盤２００を正面から見た略示正面図である。
【００２６】
図３に示す遊技盤２００はいわゆる右打ち機の遊技盤である。この遊技盤２００には、外レール２０２と内レール２０４とを配設し、遊技球が転動可能な遊技領域１２４を区画形成している。一般的に知られる右打ち機の遊技盤においては、遊技者の操作によって、遊技球を打ち出す強さを変化させることで、遊技球を入賞させる始動口後述する第１特図始動口２３０と第２特図始動口２３２とに分けることができる。具体的には、遊技領域１２４に対し、遊技釘２３８等の配設により、第一特図始動口２３０が備えられた第１の領域（遊技領域における左側）を転動する遊技球は第２特図始動口２３２への入球が困難又は不可能に構成され、その逆に第２特図始動口２３２が備えられた第２の領域（遊技領域における右側）を転動する遊技球は第１特図始動口２３０への入球が困難又は不可能に構成されている。
【００２７】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」と称する場合があり、特別図柄、第１特別図柄、第２特別図柄のうちの一つまたは複数を「特図」と称する場合がある。
【００２８】
演出装置２０６は、演出可動体２２４を動作して演出を行うものであり、詳細については後述する。
【００２９】
装飾図柄表示装置２０８は、装飾図柄ならびに演出に用いる様々な表示を行うための画像表示装置であり、本実施形態では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００３０】
普図表示装置２１０は、普図の表示を行うための表示装置であり、本実施形態では７セグメントＬＥＤによって構成する。第１特図表示装置２１２および第２特図表示装置２１４は、特図の表示を行うための表示装置であり、本実施形態では７セグメントＬＥＤによって構成する。これらの普図表示装置２１０、第１特図表示装置２１２、および第２特図表示装置２１４は、報知手段の一例に相当する。なお、装飾図柄表示装置２０８に表示される装飾図柄は、第１特図表示装置２１２や第２特図表示装置２１４に表示される図柄を、演出を高めた形で表す図柄である。
【００３１】
なお、普図表示装置２１０、第１特図表示装置２１２、および第２特図表示装置２１４（報知手段）の表示領域（ここでは７ゼグメントの大きさが相当）と装飾図柄表示装置２０８（図柄表示手段）の表示領域（ここでは表示画面の大きさが相当）とでは、装飾図柄表示装置２０８の表示領域の方が大きい。また、この実施形態では、普図表示装置２１０、第１特図表示装置２１２、および第２特図表示装置２１４は、動画の表示が不可能であるのに対して、装飾図柄表示装置２０８は動画の表示が可能である。
【００３２】
普図保留ランプ２１６は、保留している所定の第１の変動遊技（詳細は後述する普図変動遊技）の数を示すためのランプであり、本実施形態では、普図変動遊技を所定数（例えば、２つ）まで保留することを可能としている。第１特図保留ランプ２１８および第２特図保留ランプ２２０は、保留している所定の第２の変動遊技（詳細は後述する特図変動遊技）の数を示すためのランプであり、本実施形態では、特図変動遊技を所定数（例えば、４つ、第１特図用と第２特図用を合わせると８つ）まで保留することを可能としている。高確中ランプ２２２は、現在の図柄制御状態を示す報知を行なうためのランプ（報知手段）である。この高確中ランプ２２２は、電源が投入されてから大当り遊技の開始まで、現在の図柄制御状態を示す報知を行ない、それ以降は、現在の図柄制御状態を示す報知をしないように構成している。また図柄制御状態では、電源が再投入された場合には、電源が遮断される直前の図柄制御状態に復帰する。
【００３３】
また、この演出装置２０６の周囲には、一般入賞口２２６と、普図始動口２２８と、第１特図始動口２３０と、第２特図始動口２３２と、可変入賞口２３４を配設している。
【００３４】
一般入賞口２２６は、本実施形態では遊技盤２００に複数配設しており、この一般入賞口２２６への入球を所定の球検出センサ（図示省略）が検出した場合（一般入賞口２２６に入賞した場合）、図２に示す払出装置１５２を駆動し、所定の個数（例えば、１０個）の球を賞球として図１に示す上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施形態では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３５】
普図始動口２２８は、ゲートやスルーチャッカーと呼ばれる、遊技領域１２４の所定の領域を球が通過したか否かを判定するための装置で構成しており、本実施形態では遊技盤２００の右側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００３６】
第１特図始動口２３０は、本実施形態では遊技盤２００の中央に１つだけ配設している。この第１特図始動口２３０は、遊技球が進入する入り口の大きさが変化しない第一の始動領域である。第１特図始動口２３０への入球を所定の球検出センサが検出した場合、図２に示す払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。この第１特図始動口２３０は、始動領域の一つであり、自身の大きさが変化しない固定始動領域の一例に相当する。
【００３７】
第２特図始動口２３２は、本実施形態では普図始動口２２８の下側に１つだけ配設している。すなわち、第２特図始動口２３２は、遊技盤２００の右側に設けられている。この第２特図始動口２３２の近傍には、ソレノイドによって左右に開閉自在な一対の羽根部材２３２１が設けられており、一対の羽根部材２３２１と第２特図始動口２３２を併せたものが、可変始動手段に相当し、一般には、電動チューリップ（電チュー）と呼ばれる。一対の羽根部材２３２１は、第２特図始動口２３２への入賞の難易度を変更する部材である。すなわち、一対の羽根部材２３２１が閉じたままでは第２特図始動口２３２への入球は不可能であり、一対の羽根部材２３２１が閉じた態様は入賞困難な開閉態様である。一方、普図変動遊技に当選し、普図表示装置２１０が当り図柄を停止表示した場合に一対の羽根部材２３２１が所定の時間間隔、所定の回数で開閉し、第２特図始動口２３２への球の入球が可能（入賞容易状態）になり、一対の羽根部材２３２１が開いた開状態は入賞容易な状態である。すなわち、第２特図始動口２３２は、入り口（遊技球の進入口）の大きさが小サイズ（第１の大きさに相当）と大サイズ（第２の大きさに相当）のうちのいずれか一方のサイズからいずれか他方のサイズに変化する、遊技球の進入のしやすさが可変の可変始動領域であって、第二の始動領域の一例に相当する。この大サイズの大きさは、第１特図始動口２３０の入り口の大きさよりも大きい。一対の羽根部材２３２１が開いた状態では、遊技領域１２４に進入した遊技球のうち、固定始動領域である第１特図始動口２３０に進入する遊技球よりも、可変始動領域である第２特図始動口２３２に進入する遊技球の方が多い。一方、小サイズの大きさは、第１特図始動口２３０の入り口の大きさよりも小さいか、あるいは第１特図始動口２３０の入り口の大きさ以下である。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３８】
可変入賞口２３４は、本実施形態では遊技盤２００の中央部下方に１つだけ配設している。この可変入賞口２３４は、入賞開口と、ソレノイドによってその入賞開口を開閉自在な扉部材２３４１とを備えている。入賞開口は大入賞口と呼ばれることがあり、可変入賞口２３４はアタッカと呼ばれることがある。可変入賞口２３４は、後述する大当り遊技が開始されるまでは閉状態を維持し、大当り遊技が開始されると、開状態と閉状態との間で状態変更を繰り返す。すなわち、可変入賞口２３４は、所定の第１の開閉状態（ここでは閉状態）およびその第１の開閉状態よりも遊技球の入賞が容易な第２の開閉状態（ここでは開状態）のうちの一方から他方に開閉状態を変化可能な可変入賞手段であり、特図変動遊技に当選して第１特図表示装置２１２あるいは第２特図表示装置２１４が大当り図柄を停止表示した場合に扉部材２３４１が所定の時間間隔、所定の回数で開閉する。なお、可変入賞口２３４における閉状態は必ずしも完全に閉塞した状態である必要はなく、少し開いていても、遊技級の入球が不可能あるいは困難な状態であればよい。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３９】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００４０】
上皿１２６に収容されている球は発射レールの発射位置に供給される。このパチンコ機１００では、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４１】
＜演出装置２０６＞
次に、パチンコ機１００の演出装置２０６について説明する。
【００４２】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４３】
ワープ装置２４２は、演出装置２０６の左上方に設けたワープ入口２４２ａに入った遊技球を演出装置２０６の前面下方のステージ２４４にワープ出口２４２ｂから排出する。
【００４４】
ステージ２４４は、ワープ出口２４２ｂから排出された球や遊技釘２３８などによって乗り上げた球などが転動可能であり、ステージ２４４の中央部には、通過した球が第１特図始動口２３０へ入球し易くなるスペシャルルート２４４ａを設けている。
【００４５】
演出可動体２２４は、本実施形態では人間の右腕の上腕と前腕を模した上腕部と前腕部とからなり、肩の位置に上腕部を回動させる不図示の上腕モータと肘の位置に前腕部を回動させる不図示の前腕モータを備える。演出可動体２２４は、上腕モータと前腕モータによって装飾図柄表示装置２０８の前方を移動する。
【００４６】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４７】
図１に示すスピーカ１２０や枠ランプ１２２等の装飾ランプ、図３に示す装飾図柄表示装置２０８、演出可動体２２４、および遮蔽装置２４６は、演出手段に相当し、これらの中でも装飾図柄表示装置２０８は図柄表示手段の一例に相当する。
【００４８】
＜制御部＞
次に、図４を用いて、このパチンコ機１００の制御部の回路構成について詳細に説明する。なお、同図は制御部の回路ブロック図を示したものである。
【００４９】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。本実施形態では、主制御部３００、第１副制御部４００および第２副制御部５００はそれぞれ別の回路基板からなるものであるが、これら３つの制御部（３００，４００，５００）は、共通の一つの回路基板からなるものであってもよいし、第１副制御部４００と第２副制御部５００が、主制御部３００の回路基板とは別の共通の一つの回路基板からなるものであってもよい。したがって、主制御部３００、第１副制御部４００および第２副制御部５００それぞれを所定の制御手段ととらえることもできるし、これら３つの制御部（３００，４００，５００）を併せた一つのものを所定の制御手段ととらえることもできるし、第１副制御部４００および第２副制御部５００を併せた一つのものを所定の制御手段ととらえることもできる。
【００５０】
＜主制御部＞
まず、パチンコ機１００の主制御部３００について説明する。
【００５１】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００５２】
また、基本回路３０２には、水晶発振器３１６ａが出力するクロック信号を受信する度に０〜６５５３５の範囲で数値を導出する乱数値生成回路３１８（この回路には３つの乱数値生成回路を内蔵しているものとする）と、本体開放センサ１０４１、前面枠扉センサ１０６１、球貯留皿付扉センサ１０８２、および図１に示す下皿１２８が遊技球によって満タンになったことを検知する下皿満タン検知センサや、各始動口、入賞口の入り口および可変入賞口の内部に設けた球検出センサを含む各種センサ３２０が出力する信号を受信し、増幅結果や基準電圧との比較結果を乱数値生成回路３１８および基本回路３０２に出力するためのセンサ回路３２２と、第１特図表示装置２１２や第２特図表示装置２１４の表示制御を行うための駆動回路３２４と、普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、第２特図始動口２３２や可変入賞口２３４等を開閉駆動する各種ソレノイド３３２を制御するための駆動回路３３４を接続している。
【００５３】
乱数値生成回路３１８は、基本回路３０２で使用する乱数値を生成する。この乱数値生成回路３１８における乱数の生成には、大別するとカウンタモードと乱数モードとの２種類の方法がある。カウンタモードでは、所定の時間間隔でカウントアップ（ダウン）する数値を取得して、その数値を乱数として導出する。乱数モードには、さらに２つの方法がある。乱数モードにおける一つ目の方法は、乱数の種を用いて所定関数（例えばモジュラス関数）による演算を行い、この演算結果を乱数として導出する。二つ目の方法は、０〜６５５３５の範囲の数値がランダムに配列された乱数テーブルから数値を読み出し、その読み出した数値を乱数として導出する。乱数値生成回路３１８では、各種センサ３２０からセンサ回路３２２に入力される信号に重畳しているホワイトノイズを利用して不規則な値を取得する。乱数値生成回路３１８は、こうして取得した値を、カウンタモードでカウントアップ（ダウン）させるカウンタの初期値として用いたり、乱数の種として用いたり、あるいは乱数テーブルの読み出し開始位置を決定する際に用いる。
【００５４】
なお、第１特図始動口２３０に球が入賞したことを、各種センサ３２０のうちの球検出センサが検出した場合には、センサ回路３２２は球を検出したことを示す信号を乱数値生成回路３１８に出力する。この信号を受信した乱数値生成回路３１８は、第１特図始動口２３０に対応する乱数値生成回路のそのタイミングにおける値をラッチし、ラッチした値を、乱数値生成回路３１８に内蔵された、第１特図始動口２３０に対応する乱数値記憶用レジスタに記憶する。また、乱数値生成回路３１８は、第２特図始動口２３２に球が入賞したことを示す信号を受信した場合も同様に、第２特図始動口２３２に対応する乱数値生成回路のそのタイミングにおける値をラッチし、ラッチした値を、乱数値生成回路３１８に内蔵された、第２特図始動口２３２に対応する乱数値記憶用レジスタに記憶する。さらに、乱数値生成回路３１８は、普図始動口２２８に球が入賞したことを示す信号を受信した場合も同様に、普図始動口２２８に対応する乱数値生成回路のそのタイミングにおける値をラッチし、ラッチした値を、乱数値生成回路３１８に内蔵された、普図始動口２２８に対応する乱数値記憶用レジスタに記憶する。
【００５５】
また、この明細書にいう球検出センサとしては、具体的には、一般入賞口２２６、第１特図始動口２３０、第２特図始動口２３２、可変入賞口２３４など所定の入賞口に入賞した球を検出するセンサや、普図始動口２２８を通過する球を検出するセンサがあげられる。
【００５６】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、制御状態を表す情報等）を出力する。
【００５７】
また、主制御部３００には、電源管理部６６０から主制御部３００に供給している電源の電圧値を監視する電圧監視回路３３８を設けており、この電圧監視回路３３８は、電源の電圧値が所定の値（本実施形態では９ｖ）未満である場合に電圧が低下したことを示す低電圧信号を基本回路３０２に出力する。低電圧信号は、主制御部３００のＣＰＵ３０４を動作させるための電気系統に異常があることを表す電気系統異常信号であり、電圧監視回路３３８は電気系統異常信号出力手段の一例に相当する。
【００５８】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。主制御部３００のＣＰＵ３０４は、遊技制御手段の一例に相当する。
【００５９】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００６０】
＜副制御部＞
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。また、基本回路４０２には、制御プログラムや各種演出データを記憶するためのＲＯＭ４０６が接続されている。なお、ＲＯＭ４０６は、制御プログラムと各種演出データとを別々のＲＯＭに記憶させてもよい。
【００６１】
また、基本回路４０２には、スピーカ１２０（およびアンプ）の制御を行うための音源ＩＣ４１６と、各種ランプ４１８の制御を行うための駆動回路４２０と、演出可動体２２４の駆動制御を行うための駆動回路４２２と、演出可動体２２４の現在位置を検出する演出可動体センサ４２４と、図１に示すチャンスボタン１３６の押下を検出するチャンスボタン検出センサ４２６と、演出可動体センサ４２４やチャンスボタン検出センサ４２６からの検出信号を基本回路４０２に出力するセンサ回路４２８と、を接続している。
【００６２】
さらに、第１副制御部４００には、装飾図柄表示装置（液晶表示装置）２０８および遮蔽装置２４６の制御を行うための第２副制御部５００が接続されている。
【００６３】
＜払出制御部、発射制御部、電源管理部＞
次に、パチンコ機１００の払出制御部６００、発射制御部６３０、電源管理部６６０について説明する。
【００６４】
払出制御部６００は、主に主制御部３００が送信したコマンド等の信号に基づいて図２に示す払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００６５】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、図１に示す発射杆１４６および発射槌１４８を駆動する発射モータ６３２の制御や、上皿１２６から発射装置１１０に球を供給する球送り装置６３４の制御を行う。
【００６６】
電源管理部６６０は、パチンコ機１００に外部から供給される交流電源を直流化し、所定の電圧に変換して払出制御部６００と第２副制御部５００に所定電圧を供給する。主制御部３００、第１副制御部４００、および発射制御部６３０は、払出制御部６００から所定電圧の供給を受ける。また、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第１副制御部４００と発射制御部６３０に所定電圧を供給しているが、各制御部や各装置に他の電源経路で所定電圧を供給してもよい。
【００６７】
＜図柄の種類＞
次に、図５（ａ）〜（ｃ）を用いて、パチンコ機１００の第１特図表示装置２１２、第２特図表示装置２１４、装飾図柄表示装置２０８、普通図柄表示装置２１０が停止表示する特図および普図の種類について説明する。
【００６８】
図５（ａ）は特図の停止図柄態様（第１の図柄態様）の一例を示したものである。第１特図始動口２３０に球が入球したことを球検出センサである第１始動口センサが検出したことを条件として特図１変動遊技が開始され、第２特図始動口２３２に球が入球したことを球検出センサである第２始動口センサが検出したことを条件として特図２変動遊技が開始される。特図１変動遊技が開始されると、第１特別図柄表示装置２１２は、７個のセグメントの全点灯と、中央の１個のセグメントの点灯を繰り返す「特図１の変動表示」（特図変動遊技）を行う。また、特図２変動遊技が開始されると、第２特別図柄表示装置２１４は、７個のセグメントの全点灯と、中央の１個のセグメントの点灯を繰り返す「特図２の変動表示」（特図変動遊技）を行う。そして、特図１の変動開始前に決定した変動時間が経過すると、第１特別図柄表示装置２１２は特図１の停止図柄態様を停止表示し、特図２の変動開始前に決定した変動時間が経過すると、第２特別図柄表示装置２１４は特図２の停止図柄態様を停止表示する。以下、この「特図１又は２の変動表示」を開始してから特図１又は２の停止図柄態様を停止表示するまでの一連の表示を特図の変動停止表示と称することがある。この特図の変動停止表示は複数回、連続して行われることがある。
【００６９】
図５（ａ）には、図柄変動停止表示における停止図柄態様として「特図Ａ」から「特図Ｈ」の８種類の特図が示されている。図５（ａ）においては、図中の白抜きの部分が消灯するセグメントの場所を示し、黒塗りの部分が点灯するセグメントの場所を示している。
【００７０】
本実施形態では、特図の停止図柄態様として、５種類の大当り図柄（「特図Ａ」から「特図Ｅ」）が用意されている。「特図Ａ」は１５ラウンド（Ｒ）特別大当り図柄（大当り図柄１）であり、「特図Ｂ」は１５Ｒ時短大当り図柄（大当り図柄２）であり、「特図Ｃ」は２Ｒ特別大当り図柄（大当り図柄３）である。これらの図柄（特図Ａ〜Ｃ）が停止表示されるとその後、制御状態は特図高確率普図高確率状態になる。「特図Ｄ」は１５Ｒ大当り図柄（大当り図柄４）であり、「特図Ｅ」は２Ｒ大当り図柄（大当り図柄５）である。特図Ｄまたは特図Ｅが停止表示されるとその後、制御状態は特図低確率普図低確率状態になる。ここにいうラウンドとは、所定量の遊技価値（所定球数）を獲得することができるチャンスの回数をいう。本実施形態では、図３に示す可変入賞口２３４の作動回数を表すものであり、１５ラウンドとは、可変入賞口２３４の１または複数回の開閉動作を１回（１回の作動）として、この作動が１５回続くことを意味する。すなわち、１回の作動が、開閉状態が第１の開閉状態（ここでは閉状態）から第２の開閉状態（ここでは開状態）に変化する特定変化の一例に相当し、可変入賞口２３４は、大当り遊技中に、この特定変化を複数の定数回（１５ラウンドの場合であれば１５回）行うものである。各ラウンドは所定のラウンド終了条件（例えば所定球数（一例として１０球）の遊技球の進入、所定量の遊技価値（所定球数）の獲得、ラウンド開始から所定時間の経過などのうちのうちの１または複数）が成立することにより終了する。本実施形態のパチンコ機１００では、後述するように、特図変動遊技における大当りか否かの決定はハードウェア乱数の抽選によって行い、特別大当りか否かの決定はソフトウェア乱数の抽選によって行う。大当りと、特別大当りあるいは時短大当りとの違いは、次回の特図変動遊技で、大当りに当選する確率が高い（特別大当りあるいは時短大当り）か低い（大当り）かの違いである。以下、この大当りに当選する確率が高い状態のことを特図高確率状態と称し、その確率が低い状態のことを特図低確率状態と称する。本実施形態では、大当り遊技中には特図低確率状態へ移行し、大当り図柄１（特図Ａ）、大当り図柄２（特図Ｂ）、および大当り図柄３（特図Ｃ）に当選した場合には、大当り遊技終了後、次に大当りするまで特図高確率状態が維持される。一方、大当り図柄４（特図Ｄ）および大当り図柄５（特図Ｅ）に当選した場合には、大当り遊技終了後も特図低確率状態のままである。特図低確率状態は第１の確率制御状態の一例に相当する。また、大当り遊技終了後に特図高確率状態になることを特図確変と称することもあり、大当り遊技終了後に大当りに当選する確率が高くなっている状態（特図高確率状態）は、遊技者の有利度が高くなる制御状態であって第２の確率制御状態の一例に相当する。この特図高確率状態を確変状態と称することがある。なお、本明細書では制御状態という遊技台（パチンコ機１００）の内部における状態をさす文言を用いて説明するが、この制御状態という文言にはいわゆる遊技状態の概念が含まれる。この確率制御状態の移行は主制御部３００が行い、主制御部３００は、確率制御状態移行手段の一例に相当する。
【００７１】
また、１５Ｒ特別大当り遊技終了後、１５Ｒ時短大当り遊技終了後、および２Ｒ特別大当り遊技終了後はいずれも電チューサポート（電サポ）有りの状態（以下、電サポ状態と称する）に移行する。電サポ状態とは、特図変動遊技における大当りを終了してから、次の大当りを開始するまでの時間を短くする等して、遊技者の有利度が非電サポ状態より高い所定状態のことをいう。この電サポ状態は、このパチンコ機１００に用意された制御状態の一つであり、時短状態と称されることもある。すなわち、電サポ状態（時短状態）は、大当り遊技の終了を条件に開始される。なお、厳密にいえば、「電サポ状態」はあくまでも普図がらみの状態であり、「時短状態」は特図がらみの状態または普図および特図がらみの状態である。主制御部３００のＲＡＭ３０８には時短フラグが用意されており、その時短フラグがオンに設定されていると、電サポ状態であり、普図高確率状態である。普図高確率状態では普図低確率状態に比べて、普図変動遊技に当選しやすくなる（普図確変）。例えば、普図変動遊技の当選確率が、普図低確率状態（非電サポ状態）では１／１００であるのに対し、普図高確率状態（電サポ状態）では９９／１００に上昇する。また、電サポ状態の方が、非電サポ状態に比べて普図変動遊技の変動時間は短くなる（普図変短）。例えば、非電サポ状態では１０秒の普図変動遊技の変動時間が電サポ状態では２秒に短縮される。また、電サポ状態では、非電サポ状態に比べて、第２特図始動口２３２の一対の羽根部材２３２１の１回の開放における開放時間が長くなりやすい（電チュー開放期間延長）。例えば、非電サポ状態では０．５秒の電チュー開放期間が電サポ状態では２秒に延長される。さらに、電サポ状態では非電サポ状態に比べて、一対の羽根部材２３２１は多く開きやすい（電チュー開放回数増加）。例えば、普図始動口２２８への１回の入賞につき非電サポ状態では１回しか開かない一対の羽根部材２３２１が、電サポ状態では２回開く（２秒開放して１秒閉鎖してまた２秒開放）。電チュー開放期間延長や電チュー開放回数増加により、第２特図始動口２３２に入球する確率が高まる。なお、時短フラグは、大当り遊技中にはオフに設定される。したがって、大当り遊技中には、非電サポ状態が維持される。これは、大当り遊技中に電サポ状態であると、大当り遊技中に可変入賞口２３４に所定の個数、遊技球が入球するまでの間に第２特図始動口２３２に多くの遊技球が入球し、大当り中に獲得することができる遊技球の数が多くなってしまい射幸性が高まってしまうという問題があり、これを解決するためのものである。なお、本実施形態では、電サポ状態（時短状態）では、普図確変、普図変短、電チュー開放期間延長、および電チュー開放回数増加の総てが行われるが、これらのうちの少なくともいずれか一つが行われれば、遊技者の有利度が高い状態になり、電サポ状態（時短状態）としてもよい。あるいは、第２特図始動口２３２に入球する確率が高まる、電チュー開放期間延長または電チュー開放回数増加のうちのいずか一方が行われれば、電サポ状態（時短状態）としてもよい。非電サポ状態では、電サポ状態よりも遊技球が第２特図始動口２３２に進入し難い。上述のごとく、第２特図始動口２３２は、遊技球が進入する入り口の大きさが小サイズと大サイズのうちのいずれか一方のサイズからいずれか他方のサイズに変化するものである。この第２特図始動口２３２は、入り口が、電サポ状態では非電サポ状態よりも長期間にわたって大サイズである。本実施形態では、大当り図柄１および大当り図柄３が停止表示されると、その後に行われる大当り遊技終了後、次に大当り遊技が開始されるまで電サポ状態（普図高確率状態）が維持され、大当り図柄２が停止表示されると、その後に行われる大当り遊技終了後、特図変動遊技が１００回行われる間、電サポ状態が維持され、１０１回目には非電サポ状態（普図低確率状態）に移行する。一方、電サポ無しの大当り（特図Ｃ，特図Ｄ）に当選した場合には、大当たり遊技終了後に電サポ状態に移行しない。上述のごとく、第２特図始動口２３２は、遊技球が進入する入り口の大きさが小サイズと大サイズのうちのいずれか一方のサイズからいずれか他方のサイズに変化するものである。この第２特図始動口２３２は、入り口が、非電サポ状態では小サイズに維持されるが、電サポ状態では大サイズになり、遊技球の進入率が高められる。すなわち、非電サポ状態では、遊技球が可変始動領域である第２特図始動口２３２に第１の進入率で進入するのに対して、電サポ状態では、遊技球が第２特図始動口２３２に上記第１の進入率よりも進入率が高い第２の進入率で進入する。したがって、非電サポ状態が第一の進入率制御状態あるいは第一の制御状態の一例に相当し、電サポ状態が第二の進入率制御状態あるいは第二の制御状態の一例に相当する。
【００７２】
なお、特図高確率普図低確率状態の大当りや、特図低確率普図高確率状態の大当りを設けてもよい。
【００７３】
さらに、本実施形態では、大当り図柄の他に小当り図柄（特図Ｆ）も用意されている。
【００７４】
また、本実施形態では、ハズレ図柄として２種類の停止図柄が用意されている。図５（ａ）に示す、特図Ｇはハズレ図柄１であり、特図Ｈはハズレ図柄２である。小当り図柄やいずれのハズレ図柄も、遊技者に付与する利益量が相対的に小さな利益量になる停止図柄態様である。
【００７５】
以上説明したように、本実施形態のパチンコ機１００では、遊技者の有利度が高い第２の有利度の大当り制御状態と、第２の有利度よりは有利度が低い第１の有利度の非大当り制御状態とが用意され、パチンコ機１００は大当り制御状態（第２の制御状態）と非大当り制御状態（第１の制御状態）のうちのいずれか一方の制御状態をとる。これらの制御状態の移行も主制御部３００が行い、主制御部３００は、制御状態移行手段の一例にも相当する。
【００７６】
なお、本実施形態のパチンコ機１００には、大当り図柄１として「特図Ａ」以外の図柄も用意されており、大当り図柄２等の他の図柄についても同様である。
【００７７】
第１特図表示装置２１２および第２特図表示装置２１４は、当否決定結果（抽選結果）を報知する報知手段に相当する。
【００７８】
図５（ｂ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは第２特図始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。すなわち、装飾図柄表示装置２０８は、第１特別図柄表示装置２１２および第２特別図柄表示装置２１４とは別に、装飾図柄を変動表示するものである。そして、装飾図柄の組合せである停止図柄態様（第２の図柄態様）を停止表示する。「特図Ａ」である大当り図柄１を報知する場合や「特図Ｃ」である大当り図柄３を報知する場合には、図柄表示領域２０８ａ〜２０８ｃに、同じ奇数の装飾図柄が３つ並んだ“装飾図柄の組合せ２”（例えば「装飾３−装飾３−装飾３」や「装飾７−装飾７−装飾７」等）を停止表示する。また、「特図Ｄ」である大当り図柄４を報知する場合や「特図Ｅ」である大当り図柄５を報知する場合には、図柄表示領域２０８ａ〜２０８ｃに、同じ偶数の装飾図柄が３つ並んだ“装飾図柄の組合せ１”（例えば「装飾２−装飾２−装飾２」や「装飾４−装飾４−装飾４」等）を停止表示する。さらに、「特図Ｂ」である大当り図柄２を報知する場合には、第１副制御部４００は、図柄表示領域２０８ａ〜２０８ｃに、「装飾１−装飾２−装飾３」といった“装飾図柄の組合せ３”を停止表示し、「特図Ｆ」である小当り図柄を報知する場合には、第１副制御部４００は、図柄表示領域２０８ａ〜２０８ｃに、「装飾１−装飾３−装飾５」といった“装飾図柄の組合せ４”を停止表示する。また、「特図Ｇ」や「特図Ｈ」のハズレ図柄を報知する場合には、図柄表示領域２０８ａ〜２０８ｃに、“装飾図柄の組合せ１”〜“装飾図柄の組合せ４”以外の装飾図柄の組合せ（例えば、ばらけ目）を停止表示する。以下、装飾図柄表示装置２０８において、この「装飾図柄の変動表示」を開始してから装飾図柄の停止図柄態様（例えば、“装飾図柄の組合せ２”）を停止表示するまでの一連の表示を装飾図柄の変動停止表示と称することがある。
【００７９】
なお、特図１や特図２の停止図柄態様（図５（ａ）参照）と、装飾図柄表示装置２０８の左中右の各図柄表示領域２０８ａ〜ｃに表示される一つの装飾図柄の停止図柄態様（同図（ｂ）参照）は、装飾図柄（同図（ｂ）参照）の方が大きい。
【００８０】
図５（ｃ）は普図の停止図柄態様（第２の図柄態様）の一例を示したものである。本実施形態の普図の停止表示態様には、当り図柄である「普図Ａ」と、はずれ図柄である「普図Ｂ」の２種類がある。普図始動口２２８を球が通過したことを球検出センサであるゲートセンサが検出したことに基づいて、普図表示装置２１０は、７個のセグメントの全点灯と、中央の１個のセグメントの点灯を繰り返す「普図の変動表示」（普図変動遊技）を行う。そして、変動時間が経過した後に、当り図柄である「普図Ａ」とはずれ図柄である「普図Ｂ」の内のいずれか一方の図柄を停止表示する。この図５（ｃ）においても、図中の白抜きの部分が消灯するセグメントの場所を示し、黒塗りの部分が点灯するセグメントの場所を示している。
【００８１】
以下、この「普図の変動表示」を開始してから普図の停止図柄態様を停止表示するまでの一連の表示を普図の変動停止表示と称することがある。普図表示装置２１０は補助図柄報知手段の一例に相当する。
【００８２】
＜主制御部メイン処理＞
次に、図６（ａ）を用いて、図４に示す主制御部３００のＣＰＵ３０４が実行する主制御部メイン処理について説明する。なお、同図は主制御部メイン処理の流れを示すフローチャートである。
【００８３】
図４に示す主制御部３００のＲＡＭ３０８には、特図１判定用乱数カウンタ初期値の生成用カウンタ、特図２判定用乱数カウンタ初期値の生成用カウンタ、特図１判定用乱数カウンタ、特図２判定用乱数カウンタ、変動タイマ種別乱数カウンタ、およびタイマ番号決定用乱数カウンタの各カウンタが設けられている。また、そのＲＡＭ３０８には、特図１および特図２ごとに、保留数、大当り判定用乱数値、特図判定用乱数値、当否事前判定結果、特図事前判定結果、当否判定結果、特図決定結果、および特図タイマ決定結果それぞれが記憶される。加えて、ＲＡＭ３０８には、特図１および特図２のうち特図１に限って、変動タイマ種別情報も記憶される。さらにＲＡＭ３０８には、当否判定（抽選）の開始を保留することができる最大数（この例では４つ）の領域に区分けされた特図の保留記憶部が特図１と特図２で別々に用意されている。特図１の保留記憶部には、特図１大当り判定用乱数値、特図１判定用乱数値、および変動タイマ種別乱数値の３つの乱数値を１セットにしてこれら３つの乱数値が入賞順（保留順）に１セットずつ１領域ごとに格納される。また、特図２の保留記憶部には、特図２大当り判定用乱数値、特図２判定用乱数値、および変動タイマ種別乱数値の３つの乱数値を１セットにしてこれら３つの乱数値が入賞順（保留順）に１セットずつ１領域ごとに格納される。
【００８４】
上述したように、図４に示す主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って図６に示す主制御部メイン処理を実行する。
【００８５】
ステップＳ１０１では、初期化処理を行う。この初期化処理では、まず、初期設定１として、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、およびＷＤＴ３１４への動作許可及び初期値の設定等を行う。なお、本実施形態では、ＷＤＴ３１４に、初期値として３２．８ｍｓに相当する数値を設定する。次に、ＷＤＴ３１４のカウンタの値をクリアし、ＷＤＴ３１４による時間計測を再始動する（以下、この処理をＷＤＴ処理と称する）。ＷＤＴ処理に続いて、ステップＳ１０１の初期化処理では、低電圧信号がオンであるか否か、すなわち、電圧監視回路３３８が、電源制御部６６０が第２副制御部５００を介して主制御部３００に供給している電源の電圧値が所定の値（本実施形態では９ｖ）未満である場合に電圧が低下したことを示す低電圧信号を出力しているか否かを監視する。そして、低電圧信号がオンの場合（ＣＰＵ３０４が電源の遮断を検知した場合）にはＷＤＴ処理に戻り、低電圧信号がオフの場合（ＣＰＵ３０４が電源の遮断を検知していない場合）には初期設定２を行う。なお、電源が投入された直後で未だ上記所定の値（９Ｖ）に達しない場合にもステップＳ１０３に戻り、供給電圧がその所定の値以上になるまで、ステップＳ１０５は繰り返し実行される。初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書き込みを許可する設定等を行う。
【００８６】
次いで、ステップＳ１０３では、割り込み禁止の設定を行った後、基本乱数初期値更新処理を行う。ここでの基本乱数初期値更新処理では、特図判定用乱数カウンタそれぞれの初期値を生成するための２つの初期値生成用カウンタを更新する。この基本乱数初期値更新処理の終了後にステップＳ１０５に進む。
【００８７】
ステップＳ１０５では、演出乱数更新処理を行う。主制御部３００のＲＡＭ３０８には、特図用および普図用それぞれのタイマ番号決定用乱数カウンタが設けられており、これらのカウンタはいずれも、０から２５５の範囲の値を取り得るタイマ番号決定用乱数値を生成する。ステップＳ１０５では、このカウンタの値を更新する。この演出乱数更新処理の終了後に割り込み許可の設定を行ってステップＳ１０３に戻る。
【００８８】
主制御部３００は、所定の周期（例えば４ｍｓ）ごとに開始するタイマ割り込み処理を行っている間を除いて、ステップＳ１０３およびＳ１０５の処理を繰り返し実行する。
【００８９】
＜主制御部タイマ割込処理＞
次に、図６（ｂ）を用いて、主制御部３００のＣＰＵ３０４が実行する主制御部タイマ割込処理について説明する。図６（ｂ）は主制御部タイマ割込処理の流れを示すフローチャートである。
【００９０】
図４に示す主制御部３００は、所定の周期（本実施形態では約４ｍｓに１回）でタイマ割込信号を発生するカウンタタイマ３１２を備えており、このタイマ割込信号を契機として主制御部タイマ割込処理を所定の周期で開始する。なお、このタイマ割込処理スタート時には、ＣＰＵ３０４の各レジスタの値をスタック領域に一時的に退避したり、ＷＤＴ３１４を定期的に（本実施形態では、主制御部タイマ割込の周期である約２ｍｓに１回）リスタートを行ったりする。
【００９１】
まず、ステップＳ２０１では、入力ポート状態更新処理を行う。この入力ポート状態更新処理では、Ｉ／Ｏ３１０の入力ポートを介して、各種の球検出センサを含む図４に示す各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００９２】
また、このステップＳ２０１では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、上述のステップＳ２０５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施形態では、球検出センサの誤検出やノイズを考慮して、検出信号無しの後に検出信号が連続して２回記憶されている場合には、入賞があったと判定する。図４に示す主制御部３００のＲＯＭ３０６には、入賞判定パターン情報（本実施形態では、前々回検出信号無し、前回検出信号有り、今回検出信号有りであることを示す情報）が記憶されている。このステップＳ２０５では、各々の球検出センサにおいて過去３回分の検出信号の有無の情報が、予め定めた入賞判定パターン情報（本実施形態では、前々回検出信号無し、前回検出信号有り、今回検出信号有りであることを示す情報）と一致した場合に、一般入賞口２２６、可変入賞口２３４、第１特図始動口２３０、および第２特図始動口２３２への入球、または普図始動口２２８の通過があったと判定する。すなわち、これらの入賞口２２６、２３４やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。なお、主制御部３００のＲＯＭ３０６には、入賞判定クリアパターン情報（本実施形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【００９３】
基本乱数初期値更新処理（ステップＳ２０３）では、特図１判定用乱数カウンタ初期値の生成用カウンタの値を０〜２５５の範囲で更新し、続く基本乱数更新処理（ステップＳ２０５）では、特図１判定用乱数カウンタの値、および特図２判定用乱数カウンタの値それぞれを０〜２５５の範囲で更新し、特図１判定用乱数カウンタが１周するごとに、その生成用カウンタの値を、特図１判定用乱数カウンタにセットする。また、特図２判定用乱数カウンタ初期値の生成用カウンタおよび特図２判定用乱数カウンタも、特図１のそれらと同様に処理する。
【００９４】
ステップＳ２０７では、タイマ更新処理を行う。このタイマ更新処理では、普通図柄表示装置２１０に図柄を変動・停止表示する時間を計時するための普図表示図柄更新タイマ、第１特図表示装置２１２に図柄を変動・停止表示する時間を計時するための特図１表示図柄更新タイマ、第２特図表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００９５】
続いて、入賞判定処理（ステップＳ２０９）を行う。
【００９６】
図７は、図６（ｂ）に示す入賞判定処理（ステップＳ２０９）の流れを示すフローチャートである。
【００９７】
まず、第１特図始動口２３０に関する処理を行う。図７に示すステップＳ２０９ａでは、第１特図始動口２３０への入賞があったか否かを判定する。ここでは、図６に示すステップＳ２０１における入賞判定パターン情報と一致するか否かの判定結果を用いて判定する。入賞があった場合にはステップＳ２０９ｂに進み、入賞がなかった場合にはステップＳ２０９ｇに進む。主制御部３００のＲＡＭ３０８には特図１保留数記憶領域が設けられている。特図１保留数記憶領域は、特図１の当否判定が未だ行われていない未判定回数を、所定の上限回数（ここでは４）まで記憶する第１の未判定回数記憶手段の一例に相当する。ステップＳ２０９ｂでは、ＲＡＭ３０８の特図１保留数記憶領域を参照し、保留している特図１変動遊技の数が所定の上限数（本実施形態では４）未満であるか否かを判定し、所定数未満の場合はステップＳ２０９ｃに進む。
【００９８】
ステップＳ２０９ｃでは、所定の始動情報を取得する。すなわち、このステップＳ２０９ｃでは、所定の始動情報として、特図１大当り判定用乱数値、特図１判定用乱数値、および変動タイマ種別乱数値を取得する。特図１大当り判定用乱数値は、図４に示す乱数値生成回路３１８の、第１特図始動口２３０に対応した乱数値記憶用レジスタから取得した値を加工した値（例えば、取得した値＋Ｒレジスタの値＋１）である。一方、特図１判定用乱数値は、ＲＡＭ３０８に設けられた特図１判定用乱数カウンタから導出されたソフトウェア乱数を加工した値（ソフトウェア乱数の値＋Ｒレジスタの値＋１）であり、変動タイマ種別乱数値も、ＲＡＭ３０８に設けられた変動タイマ種別乱数カウンタから導出されたソフトウェア乱数を加工した値（ソフトウェア乱数の値＋Ｒレジスタの値＋１）である。図４に示す乱数値生成回路３１８の、第１特図始動口２３０に対応した乱数値記憶用レジスタ、ＲＡＭ３０８に設けられた、特図１判定用乱数カウンタおよび変動タイマ種別乱数カウンタ、ならびに乱数加工を施す主制御部３００を併せたものが、第１の始動情報導出手段の一例に相当する。さらに、このステップＳ２０９ｃでは、ＲＡＭ３０８に設けた特図１保留数記憶領域の値を更新する。すなわち、特図１保留数記憶領域の値に１を加算し、特図１の保留数が１増加する。したがって、主制御部３００のＣＰＵ３０４が第１保留手段の一例に相当する。ステップＳ２０９ｃの実行が終了すると、ステップＳ２０９ｄに進む。
【００９９】
一方、保留している特図１変動遊技の数が所定数以上の場合は、ステップＳ２０９ｇに進み、ＲＡＭ３０８の特図１保留数記憶領域の値に１を加算することは行われない。
【０１００】
ステップＳ２０９ｄでは、ＲＡＭ３０８に設けた特図１の保留記憶部の、入賞順（保留順）に応じた空いている領域に、ステップＳ２０９ｃで取得した特図１大当り判定用乱数値、特図１判定用乱数値、および変動タイマ種別乱数値を、１セットの始動情報として記憶する。この特図１の保留記憶部は、第１特図始動口２３０（固定始動領域）に遊技球が進入したことに基づいて導出された始動情報を所定の第１上限数（ここでは４個）まで記憶可能な第１始動情報記憶部の一例に相当する。このとき１セットの始動情報をＲＡＭ３０８に設けた一時領域に一旦記憶し、その一時領域に記憶された値を特図１の保留記憶部に記憶してもよく、この場合、一時領域を第１始動情報記憶部としてもよいし、特図１の保留記憶部および一時領域を第１始動情報記憶部としてもよい。
【０１０１】
ステップＳ２０９ｄに続いて実行されるステップＳ２０９ｅでは、ＲＡＭ３０８に設けた送信情報記憶領域に、特図変動遊技の保留の増加（特図保留増加）を示す情報を追加記憶し、ステップＳ２０９ｆでは、送信用情報として特図１を示す情報を追加記憶する。後述するコマンド設定送信処理（図６（ｂ）に示すステップＳ２１５）で実行される一般コマンド回転開始設定送信処理では、この送信情報記憶領域に記憶された特図１についての保留増加を示す情報を参照することにより、図柄変動開始コマンドを前回送信してから今回送信するまでの間（後述する特図１関連抽選処理において前回抽選してから今回抽選するまでの間）に増加した第１特図変動遊技の保留数を得ることができる。
【０１０２】
次に、第２特図始動口２３２に関する処理を行う。図７に示すステップＳ２０９ｇからステップＳ２０９ｌまでの各ステップは、上述のステップＳ２０９ａからステップＳ２０９ｆまでの各ステップにおける「第１」を「第２」に読み替えるとともに「特図１」を「特図２」に読み替えたステップと同一である。ここでは、保留に関する事項を中心に説明し、他の事項についての説明は省略する。
【０１０３】
主制御部３００のＲＡＭ３０８には特図２保留数記憶領域も設けられており、この特図２保留数記憶領域は、特図２の当否判定が未だ行われていない未判定回数を、所定の上限回数（ここでは４）まで記憶する第２の未判定回数記憶手段の一例に相当する。ステップＳ２０９ｈでは、ＲＡＭ３０８の特図２保留数記憶領域を参照し、保留している特図２変動遊技の数が所定の上限数（本実施形態では４）未満であるか否かを判定し、所定数未満の場合はステップＳ２０９ｉに進む。
【０１０４】
ステップＳ２０９ｉでは、特図２大当り判定用乱数値、特図２判定用乱数値、および変動タイマ種別乱数値を取得するとともに、ＲＡＭ３０８に設けた特図２保留数記憶領域の値を更新する。特図２大当り判定用乱数値は、図４に示す乱数値生成回路３１８の、第２特図始動口２３２に対応した乱数値記憶用レジスタから取得した値を加工した値（例えば、取得した値＋Ｒレジスタの値＋１）である。一方、特図２判定用乱数値は、ＲＡＭ３０８に設けられた特図２判定用乱数カウンタから導出されたソフトウェア乱数を加工した値（ソフトウェア乱数の値＋Ｒレジスタの値＋１）であり、変動タイマ種別乱数値も、ＲＡＭ３０８に設けられた変動タイマ種別乱数カウンタから導出されたソフトウェア乱数を加工した値（ソフトウェア乱数の値＋Ｒレジスタの値＋１）である。乱数値生成回路３１８の、第２特図始動口２３２に対応した乱数値記憶用レジスタ、ＲＡＭ３０８に設けられた、特図２判定用乱数カウンタおよび変動タイマ種別乱数カウンタ、ならびに乱数加工を施す主制御部３００を併せたものが、第２の始動情報導出手段の一例に相当する。
【０１０５】
ステップＳ２０９ｊでは、ＲＡＭ３０８に設けた特図２の保留記憶部に、ステップＳ２０９ｉで取得した特図２大当り判定用乱数値、特図２判定用乱数値、および変動タイマ種別乱数値を１セットの始動情報として記憶する。この特図２の保留記憶部は、第２特図始動口２３２（可動始動領域）に遊技球が進入したことに基づいて導出された始動情報を所定の第２上限数（ここでは４個）まで記憶可能な第２始動情報記憶部の一例に相当する。
【０１０６】
第２特図始動口２３２に関する処理が終了すると、今度は、普図始動口２２８および可変入賞口２３４に関する処理を行う。まず、普図始動口２２８に関する処理では、普図始動口２２８への入賞があったか否かを判定する（ステップＳ２０９ｍ）。ここでも、上述のステップＳ２０１における入賞判定パターン情報と一致するか否かの判定結果を用いて判定する。入賞があった場合にはステップＳ２０９ｎに進み、入賞がなかった場合にはステップＳ２０９ｒに進む。ステップＳ２０９ｎでは、ＲＡＭ３０８に設けた普図保留数記憶領域を参照し、保留している普図変動遊技の数が所定数（本実施形態では２）未満であるか否かを判定し、所定数未満の場合はステップＳ２０９ｑに進む。一方、所定数以上の場合は、ステップＳ２０９ｒに進む。
【０１０７】
ステップＳ２０９ｑでは、後述するコマンド設定送信処理（ステップＳ２１５）で一般コマンド普図保留増加設定処理を実行させるために、ＲＡＭ３０８に設けた送信情報記憶領域に、普図保留増加を示す情報を送信情報（コマンド種別）として追加記憶する。
【０１０８】
次に、可変入賞口２３４に関する処理を行う。まず、ステップＳ２０９ｒでは、可変入賞口２３４への入賞があったか否かを判定する。ここでも、ステップＳ２０１における入賞判定パターン情報と一致するか否かの判定結果を用いて判定する。入賞があった場合にはステップＳ２０９ｓに進み、入賞がなかった場合には図６（ｂ）に示す主制御部タイマ割り込み処理に復帰する。
【０１０９】
主制御部３００のＲＡＭ３０８には、可変入賞口用の入賞記憶領域も設けられている。ステップＳ２０９ｓでは、ＲＡＭ３０８に設けた可変入賞口用の入賞記憶領域に、可変入賞口２３４に球が入球したことを示す情報を格納する。
【０１１０】
ステップＳ２０９ｔでは、後述するコマンド設定送信処理（ステップＳ２１５）で一般コマンド可変入賞口入賞処理を実行させるために、ＲＡＭ３０８に設けた送信情報記憶領域に、可変入賞口入賞を示す情報であるＤＨを送信情報（コマンド種別）として追加記憶した後、図６（ｂ）に示す主制御部タイマ割り込み処理に復帰する。
【０１１１】
また、この入賞判定処理（ステップＳ２０９）が終了すると特図先読み処理が呼び出される。
【０１１２】
図８は、主制御部３００のＣＰＵ３０４が実行する特図先読み処理の流れを示すフローチャートである。
【０１１３】
まず、ステップＳ２２１では、特図２の始動情報の増加があったか否か、すなわちＲＡＭ３０８に設けた保留記憶部に、特図２についての始動情報（１セット分の乱数値である特図２大当り判定用乱数値、特図２判定用乱数値、および変動タイマ種別乱数値）が追加されたか否かを判定し、増加していれば（追加されていれば）、増加した特図２の始動情報を先読みして特図２の停止図柄を事前判定する（ステップＳ２２２）。このステップＳ２２２では、まず、特図２の保留記憶部が始動情報を記憶したタイミングに応じてその特図２の保留記憶部からその始動情報を先読みする。なお、ここでの先読みとは始動情報を当否判定（本抽選）の前に先に読むことを意味するが、以降の説明では、先読みという言葉を、先（当否判定（本抽選）の結果等）を読むという意味で使用することがある。ステップＳ２２２を実行する主制御部３００のＣＰＵ３０４は、特図２の保留記憶部（第２の始動情報記憶部）に記憶されている始動情報を、当該始動情報に基づく当否判定（後述するステップＳ２１３における特図２関連抽選処理）が行われる前に先読みする第２の始動情報先読手段の一例に相当する。次いで、将来行われる特図２関連抽選処理における当否判定結果と停止する図柄を、先読みした始動情報に基づいて図９（ａ）および（ｂ）に示す判定テーブルを用いて事前に判定する。
【０１１４】
図９（ａ）は、特図先読み処理で用いられる当否事前判定用テーブルを示す図であり、同図（ｂ）は、同じく特図先読み処理で用いられる特図事前判定用テーブルを示す図である。これらのテーブルは、主制御部３００のＲＯＭ３０６に記憶されている。
【０１１５】
本実施形態のパチンコ機１００では、大当りに当選する確率が相対的に低い特図低確率状態と、相対的に高い特図高確率状態のいずれか一方の制御状態にある。特図高確率状態であることは確率変動中と呼ばれる。主制御部３００のＲＡＭ３０８には、確変フラグが用意されている。この確率変動フラグがオンに設定されていると、特図高確率状態（確率変動中）であり、確率変動フラグがオフに設定されていると、特図低確率状態である。
【０１１６】
図９（ａ）に示す当否事前判定用テーブルには、特図高確率状態と特図低確率状態とに分けて乱数範囲が規定されている。まず、特図２大当り判定用乱数値を先読みし、その特図２大当り判定用乱数値が、図９（ａ）に示す当否事前判定用テーブル内のいずれの乱数範囲に属するかについて判定する。すなわち、ＲＡＭ３０８に用意された確変フラグを参照し、特図低確率状態の場合には、先読みした特図２大当り判定用乱数値が、１０００〜１２１７であるときには、特図２当否事前判定結果は「大当り」と判定し、３０００〜４０９２であるときには、特図２当否事前判定結果は「小当り」と判定し、それ以外（０〜９９９，１２１８〜２９９９，４０９３〜６５５３５）であるときには、特図２当否事前判定結果は「ハズレ」と判定する。また、確変フラグを参照し、特図高確率状態の場合には、先読みした特図２大当り判定用乱数値が、１０００〜２６３８であるときには、特図２当否事前判定結果は「大当り」と判定し、３０００〜４０９２であるときには、特図２当否事前判定結果は「小当り」と判定し、それ以外（０〜９９９，２６３９〜２９９９，４０９３〜６５５３５）であるときには、特図２当否事前判定結果は「ハズレ」と判定する。なお、後述する特図２関連処理（図６（ｂ）に示すステップＳ２１３）でも、図９（ａ）に示す当否事前判定用テーブルの内容と同じ内容の当否判定用テーブルを用いて特図２変動遊技の当否判定を改めて行い、ここでの判定結果は、あくまで事前判定の結果である。ステップＳ２２２を実行する主制御部３００のＣＰＵ３０４は、当否判定の結果が特定の当否判定結果（大当りの判定結果）になるか否かを、ここで先読みした始動情報に基づいて、当該始動情報に基づく当否判定（特図２関連抽選処理）が行われる前に事前判定する第２の当否事前判定手段の一例にも相当する。
【０１１７】
特図２当否事前判定結果が、「大当り」あるいは「ハズレ」の場合には、ＲＡＭ３０８に設けられた特図２の保留記憶部内の特図２判定用乱数値（取り得る数値範囲は０〜２５５）を先読みし、その特図２判定用乱数値が図９（ｂ）に示す特図事前判定用テーブル内のいずれの乱数範囲に属するかについて判定する。図９（ｂ）に示す特図事前判定用テーブルには、特図事前判定結果として、図５（ａ）に示す大当り図柄１〜５と、ハズレ図柄１および２それぞれに対応した乱数範囲が規定されている。特図２当否事前判定結果が「大当り」の場合には、特図２の特図事前判定結果を、先読みした特図２判定用乱数値が０〜１５３であるときには「大当り図柄１」と判定し、１５４〜２０４であるときには「大当り図柄２」と判定し、２０５〜２１７であるときには「大当り図柄３」と判定し、２１８〜２２８であるときには「大当り図柄４」と判定し、２２９〜２５５であるときには「大当り図柄５」と判定する。また、特図２当否事前判定結果が「ハズレ」の場合には、特図２の特図事前判定結果を、先読みした特図２判定用乱数値が０〜２２９であるときには「ハズレ図柄１」と判定し、２３０〜２５５であるときには「ハズレ図柄２」と判定する。なお、図５（ａ）を用いて説明したように、小当り図柄は「特図Ｆ」の１種類しかないため、特図２当否事前判定結果が「小当り」の場合には、特図２の停止図柄の事前判定は行わない。また、ここでの判定結果も、あくまで事前判定の結果であり、特図の停止図柄の判定も後述する特図２関連処理（図６（ｂ）に示すステップＳ２１３）において改めて行われる。
【０１１８】
ステップＳ２２２に続くステップＳ２２３では、変動タイマ種別を、先読みした始動情報に基づいて図９（ｃ）に示す判定テーブルを用いて事前に判定する。
【０１１９】
図９（ｃ）は、特図先読み処理で用いられる変動タイマ種別事前判定用テーブルを示す図である。この変動タイマ種別事前判定用テーブルも、主制御部３００のＲＯＭ３０６に記憶されている。
【０１２０】
ここにいう変動タイマ種別とは、特図の変動停止表示に合わせて図柄変動する装飾図柄の変動態様の種類を表すものである。すなわち、変動タイマ種別は、特図の変動表示が開始されてから終了するまでの間に装飾図柄表示装置２０８に表示される演出の態様の種類を表すものであり、特図の変動時間を表すものと見ることもできる。ここでは、変動タイマ種別として、リーチなし、ノーマルリーチ、スーパーリーチが用意されている。ノーマルリーチとは、一般に２つの図柄表示領域（例えば、図３に示す左右図柄表示領域２０８ａ、２０８ｃ）が等しい装飾図柄を停止表示し、残りの１つの図柄表示領域（例えば中図柄表示領域２０８ｂ）が変動表示している状態のこと、すなわち、変動表示している図柄表示領域が特定の図柄（停止表示している図柄表示領域と等しい図柄）を停止表示すれば所定の大当り図柄の組合せ（図５（ｂ）に示す“装飾図柄の組合せ１”や“装飾図柄の組合せ２”）を停止表示することとなる状態のことである。スーパーリーチは、ノーマルリーチにさらに特殊な変動表示等を加味して演出効果を向上させたもの（ロングリーチ、ノーマル逆転リーチ、ダブルラインリーチ等）である。なお、リーチにはこの他、特別マルチラインリーチ、全回転リーチ、特別全回転リーチ等のスペシャルリーチもあり、単にリーチというときには、ノーマルリーチとスーパーリーチとスペシャルリーチを含んだ装飾図柄の変動パターンを意味する。このリーチは、特図関連処理（Ｓ２１３）の当否判定（本抽選）の結果が特定の当否判定結果（大当りの判定結果）になることを、その当否判定を行った後であってその当否判定の結果を報知する前に遊技者に事前に報知する予告演出であり、リーチを行うか否かは、その当否判定を行った後に決定される。詳しくは後述するように、リーチなしは、特図の変動時間が相対的に短く、スーパーリーチは特図の変動時間が相対的に長く、ノーマルリーチは特図の変動時間がリーチなしとスーパーリーチの間の時間になる。
【０１２１】
図９（ｃ）に示す変動タイマ種別事前判定用テーブルには、ステップＳ２２２で得た事前判定結果がハズレであった場合と、大当りあるいは小当りであった場合とに分けて乱数範囲が規定されている。ステップＳ２２３では、特図２の始動情報に含まれている変動タイマ種別乱数値（取り得る範囲は０〜２５５）を先読みし、当否事前判定結果がハズレであった場合には、特図２の変動タイマ種別事前判定結果を、先読みした変動タイマ種別乱数値が０〜８４であるときには「リーチなし」と判定し、８５〜１６９であるときには「ノーマルリーチ」と判定し、１７０〜２５５であるときには「スーパーリーチ」と判定する。一方、当否事前判定結果が大当りあるいは小当りであった場合には、特図２の変動タイマ種別事前判定結果を、先読みした変動タイマ種別乱数値が０〜１２７であるときには「ノーマルリーチ」と判定し、１２８〜２５５であるときには「スーパーリーチ」と判定する。すなわち、当否事前判定結果が大当りあるいは小当りであった場合には、「リーチなし」は選択されず、リーチは必ず行われる。ただし、後述する特図２関連処理（図６（ｂ）に示すステップＳ２１３）でも、図９（ｃ）に示す変動タイマ種別事前判定用テーブルの内容と同じ内容の変動タイマ種別判定用テーブルを用いて特図２変動遊技の変動タイマ種別判定を改めて行い、ここでの判定結果は、あくまで事前判定の結果である。ステップＳ２２２を実行する主制御部３００のＣＰＵ３０４は、図柄の変動表示態様を、ここで先読みした始動情報に基づいて、当該始動情報に基づく当否判定（特図２関連抽選処理）が行われる前に事前判定する第２の変動表示態様事前判定手段の一例にも相当する。
【０１２２】
ステップＳ２２３に続くステップＳ２２４では、ステップＳ２２２で得た特図２の停止図柄情報（特図２事前判定結果）と、ステップＳ２２３で得た変動タイマ種別事前判定結果を、ＲＡＭ３０８に用意された特図２事前判定結果記憶領域に記憶する。一方、ステップＳ２２１における判定で増加していなければステップＳ２２５に進み、特図２の始動情報の先読みや事前判定は行わない。
【０１２３】
ステップＳ２２５では、今度は、特図１の始動情報の増加があったか否か、すなわちＲＡＭ３０８に設けた保留記憶部に、１セット分の乱数値である、特図１大当り判定用乱数値、特図１判定用乱数値、および変動タイマ種別乱数値が追加されたか否かを判定し、増加していれば（追加されていれば）、大当り遊技状態中であるか否かを判定する（ステップＳ２２６）。大当り遊技中でなければ、今度は、現在の制御状態が電サポ状態であるか否かを、ＲＡＭ３０８に用意された、時短フラグを参照して判定し（ステップＳ２２７）、現在の制御状態が非電サポ状態であれば（時短フラグがオフ状態であれば）、ステップＳ２２８に進む。
【０１２４】
このステップＳ２２８では、まず、増加した特図１の始動情報のうちの特図１大当り判定用乱数値を先読みする。すなわち、特図１の保留記憶部（第１の始動情報記憶部）が始動情報を記憶したタイミングに応じてその特図１の保留記憶部からその始動情報を先読みする。ここで先読みする主制御部３００のＣＰＵ３０４は、特図１の保留記憶部（第１の始動情報記憶部）に記憶されている始動情報を、当該始動情報に基づく当否判定（後述するステップＳ２１３における特図１関連抽選処理）が行われる前に先読みする始動情報先読手段の一例に相当する。ステップＳ２２８でも、先のステップＳ２２２と同様に、現在の制御状態が特図確変ありの状態か否かに基づいて、図９（ａ）に示す判定テーブルを用いて特図１の当否判定の事前判定を行い、次いで、特図１判定用乱数値を先読みし、その当否事前判定結果に基づいて、図９（ｂ）に示す判定テーブルを用いて特図１停止図柄態様の事前判定を行う。こうすることで、特図１当否事前判定結果および特図１の特図事前判定結果を得る。なお、ここでの判定結果も、あくまで事前判定の結果であり、特図１関連抽選処理（図６（ｂ）に示すステップＳ２１３）でも別途、特図１の当否判定および停止図柄の判定を行う。ステップＳ２２７を実行する主制御部３００のＣＰＵ３０４は、当否判定の結果が特定の当否判定結果になるか否かを、ここで先読みした始動情報に基づいて、当該始動情報に基づく当否判定（特図１関連抽選処理）が行われる前に事前判定する当否事前判定手段の一例にも相当する。
【０１２５】
ステップＳ２２８に続くステップＳ２２９では、特図１の始動情報に含まれている変動タイマ種別乱数値（取り得る範囲は０〜２５５）を先読みし、先のステップＳ２２３と同様にして変動タイマ種別の事前判定を行う。すなわち、ここでも図９（ｃ）に示す判定テーブルを用い、ステップＳ２２７で得た特図１事前判定結果に応じて、先読みした変動タイマ種別乱数値が属する乱数範囲の変動タイマ種別を変動タイマ種別事前判定結果として得る。このステップＳ２２９において変動タイマ種別乱数値を先読みするＣＰＵ３０４も、始動情報先読手段の一例に相当し、変動タイマ種別の事前判定を行うＣＰＵ３０４は、図柄の変動表示態様を、ここで先読みした始動情報に基づいて、当該始動情報に基づく当否判定（特図１関連抽選処理）が行われる前に事前判定する変動表示態様事前判定手段の一例に相当する。
【０１２６】
ステップＳ２２９に続くステップＳ２３０では、ステップＳ２２８で得た特図１の停止図柄情報（特図１事前判定結果）と、ステップＳ２２９で得た変動タイマ種別事前判定結果を、ＲＡＭ３０８に用意された特図１事前判定結果記憶領域に記憶し、図６（ｂ）に示す主制御部タイマ割込処理に復帰する。
【０１２７】
一方、ステップＳ２２５における判定で増加していなければ図６（ｂ）に示す主制御部タイマ割込処理に復帰し、特図１の始動情報の先読みや事前判定は行わない。また、ステップＳ２２６において大当り遊技中であった場合、および現在の制御状態が電サポ状態（時短フラグがオン状態）であった場合にも、特図１の始動情報の先読みや事前判定は行わず、これらの場合には、今回増加した特図１の始動情報に基づく停止図柄や変動タイマ種別の事前判定が行われていないことを表す「未判定」情報を、特図１事前判定結果記憶領域に記憶し（ステップＳ２３１）、図６（ｂ）に示す主制御部タイマ割込処理に復帰する。
【０１２８】
なお、本実施形態では、始動情報自体の先読みも行わないが、先読みは行って事前判定は行わない態様であってもよく、さらには、先読みおよび事前判定は行うが、後述するようにその結果を主制御部３００から第１副制御部４００へ送らない態様であってもよい。
【０１２９】
図１０（ａ）は、主制御部３００のＲＡＭ３０８における特図１事前判定結果記憶領域に事前判定情報が記憶されている一例を示す図である。
【０１３０】
図１０（ａ）に示すように、特図１事前判定結果記憶領域３０８１は最大保留数に応じた４つの領域に区分けされ、さらに、この図１０（ａ）では、図８に示すステップＳ２２２で事前判定した特図１の停止図柄情報（特図１事前判定結果）を格納する領域と、ステップＳ２２３で事前判定した変動タイマ種別事前判定結果を格納する領域が分けられている。
【０１３１】
図１０（ａ）に示す特図１事前判定結果記憶領域３０８１には、保留３つ分の情報が記憶されており、最も新しい保留（保留３）に対応した領域に、大当り図柄１を表す情報とスーパーリーチを表す情報が格納されている。
【０１３２】
図１０（ｂ）は、主制御部３００のＲＡＭ３０８における特図２事前判定結果記憶領域に事前判定情報が記憶されている一例を示す図である。
【０１３３】
図１０（ｂ）に示す特図２事前判定結果記憶領域３０８２にも、保留３つ分の情報が記憶されており、これら３つの保留に対応した領域にはいずれも、ハズレ図柄１を表す情報が格納されており、古い２つの保留（保留１，２）では変動タイマ種別がスーパーリーチになることを表す情報が格納され、最も新しい保留（保留３）ではリーチなしになることを表す情報が格納されている。
【０１３４】
図１０（ｃ）は、電サポ中の特図１事前判定結果記憶領域３０８１の一例を示す図である。
【０１３５】
図１０（ｃ）に示す特図１事前判定結果記憶領域３０８１には、保留２つ分の情報が記憶されており、これら２つの保留に対応した領域にはいずれも、図８に示すステップＳ２３１における未判定情報が記憶されている。すなわち、ステップＳ２２２で事前判定した特図１の停止図柄情報（特図１事前判定結果）を格納する領域にも、ステップＳ２２３で事前判定した変動タイマ種別事前判定結果を格納する領域にも、未判定情報が記憶されている。
【０１３６】
図６（ｂ）に示す主制御部タイマ割込処理では、ステップＳ２０９の入賞判定処理に続いて普図関連処理を行う（ステップＳ２１１）。この普図関連処理では、まず、普図状態更新処理として、普図の状態に対応する複数の処理のうちの１つの処理を行う。例えば、普図変動表示の途中（上述する普図表示図柄更新タイマの値が１以上）における処理では、普通図柄表示装置２１０を構成する７セグメントＬＥＤの点灯と消灯を繰り返す点灯・消灯駆動制御を行う。この制御を行うことで、普通図柄表示装置２１０は普図の変動表示（普図変動遊技）を行う。
【０１３７】
また、普図変動表示時間が経過したタイミング（普図表示図柄更新タイマの値が１から０になったタイミング）における処理では、当り図柄（図５（ｃ）に示す普図Ａ）およびハズレ図柄（図５（ｃ）に示す普図Ｂ）のいずれか一方の表示態様となるように普図表示装置２１０を構成する７セグメントＬＥＤの点灯・消灯駆動制御を行う。また、主制御部３００のＲＡＭ３０８には、ここでの普図関連処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普通図柄表示装置２１０は、当り図柄およびハズレ図柄のいずれか一方の図柄態様の確定表示を行う。さらにその後、所定の停止表示期間（例えば０．６秒間）、その表示を維持するためにＲＡＭ３０８に設けた普図停止時間管理用タイマの記憶領域に停止期間を示す情報を必ず設定する。この設定により、確定表示された当り図柄が所定期間、必ず停止表示され、普図変動遊技の結果が遊技者に報知される。
【０１３８】
また、上記所定の停止表示期間が終了したタイミング（普図停止時間管理用タイマの値が１から０になったタイミング）における普図関連処理では、電サポ状態であれば、ＲＡＭ３０８の設定領域に普図作動中を設定するとともに、所定の開放期間（本実施形態では６秒間）、第２特図始動口２３２の羽根部材２３２１の開閉駆動用のソレノイド（３３２）に、羽根部材２３２１を開放状態に保持する信号を必ず出力するとともに、ＲＡＭ３０８に設けた羽根開放時間管理用タイマの記憶領域に開放期間を示す情報を必ず設定する。このようにして一対の羽根部材２３２１の開放制御を行う主制御部３００のＣＰＵ３０４が、可変始動領域制御手段の一例に相当する。一方、非電サポ状態であれば、ＲＡＭ３０８の設定領域に普図非作動中を設定するとともに、第２特図始動口２３２の羽根部材２３２１の開閉駆動用のソレノイド（３３２）には、何ら信号を出力しない。こうすることで、羽根部材２３２１は閉じた状態のままになる。なお、羽根部材２３２１を閉じた状態に維持するための信号を必ず出力するようにしてもよい。
【０１３９】
また、電サポ状態であった場合には、所定の開放期間が終了したタイミング（羽根開放時間管理用タイマの値が１から０になったタイミング）で開始する処理では、所定の閉鎖期間（例えば０．１秒間）、羽根部材２３２１の開閉駆動用のソレノイド（３３２）に、羽根部材２３２１を閉鎖状態に保持する信号を出力するとともに、ＲＡＭ３０８に設けた羽根閉鎖時間管理用タイマの記憶領域に閉鎖期間を示す情報を設定する。
【０１４０】
また、電サポ状態であった場合には、所定の閉鎖期間が終了したタイミング（羽根閉鎖時間管理用タイマの値が１から０になったタイミング）で開始する普図関連処理において、ＲＡＭ３０８の設定領域に普図非作動中を設定する。さらに、普図変動遊技の結果がハズレであれば、後述するように、普図ハズレフラグがオンされる。この普図ハズレフラグがオンの場合には、上述した所定の停止表示期間が終了したタイミング（普図停止時間管理用タイマの値が１から０になったタイミング）における普図関連処理でも、ＲＡＭ３０８の設定領域に普図非作動中を設定する。普図非作動中の場合における普図関連処理では、何もせずに次のステップＳ２２３に移行するようにしている。
【０１４１】
続いて、この普図関連抽選処理では、普図変動遊技および第２特図始動口２３２の開閉制御を行っておらず（普図の状態が非作動中）、且つ、保留している普図変動遊技の数が１以上である場合に、上述の乱数値記憶領域に記憶している普図当選乱数値に基づいた乱数抽選により普図変動遊技の結果を当選とするか、不当選とするかを決定する当り判定を行い、当選とする場合にはＲＡＭ３０８に設けた当りフラグにオンを設定する。不当選の場合には、当りフラグにオフを設定する。また、当り判定の結果に関わらず、次に上述の普図タイマ乱数値生成用の乱数カウンタの値を普図タイマ乱数値として取得し、取得した普図タイマ乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。また当り判定に使用した乱数値を消去する。
【０１４２】
図６（ｂ）に示す主制御部タイマ割込処理では、以上説明したステップＳ２１１の普図関連処理に続いて特図関連処理（ステップＳ２１３）を行う。この特図関連処理では、まず最初に、特図２についての特図状態更新処理（特図２状態更新処理）を行う。この特図２状態更新処理は、特図２の状態に応じて、次の８つの処理のうちの１つの処理を行う。例えば、特図２変動表示の途中（上述の特図２表示図柄更新タイマの値が１以上）における特図２状態更新処理では、第２特図表示装置２１４を構成する７セグメントＬＥＤの点灯と消灯を繰り返す点灯・消灯駆動制御を行う。この制御を行うことで、第２特図表示装置２１４は特図２の変動表示（特図２変動遊技）を行う。
【０１４３】
また、特図２変動表示時間が経過したタイミング（特図２表示図柄更新タイマの値が１から０になったタイミング）で開始する特図２状態更新処理では、後述する特図関連抽選処理における特図決定結果（特図の停止図柄態様）に基づいて第２特図表示装置２１４を構成する７セグメントＬＥＤの点灯・消灯駆動制御を行い、ＲＡＭ３０８の設定領域に特図２停止表示中であることを表す設定を行う。 この制御を行うことで、第２特図表示装置２１４は、図５（ａ）に示す各種図柄（特図Ａ〜Ｈ）のうちのいずれか一つの図柄の確定表示を行う。さらにその後、所定の停止表示期間（例えば５００ｍ秒間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた電サポ回数記憶部に値がセットされている場合には、その値が１以上であれば、その値から１を減算し、減算結果が１から０となった場合は、特図高確率状態でなければ、時短フラグをオフする。さらに、大当り遊技中にも、時短フラグをオフする。すなわち、主制御部３００のＣＰＵ３０４は、大当り遊技状態中（第２の制御状態中）である場合に、非電サポ状態（第一の進入率制御状態）にする。
【０１４４】
また、後述するコマンド設定送信処理（ステップＳ２１５）で一般コマンド回転停止設定送信処理を実行させるために上述の送信情報記憶領域に４Ｈを送信情報（一般情報）として追加記憶するとともに、変動表示を停止する図柄が特図２であることを示す特図２識別情報を、後述するコマンドデータに含める情報としてＲＡＭ３０８に追加記憶してから処理を終了する。
【０１４５】
また、特図２変動遊技の結果が大当りであれば、特図２変動遊技の開始時に大当りフラグがオンされている。この大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するためにＲＡＭ３０８に設けた特図２待機時間管理用タイマの記憶領域に入賞演出期間を示す情報を設定する。また、コマンド設定送信処理（ステップＳ２１５）で一般コマンド入賞演出設定送信処理を実行させるために上述の送信情報記憶領域に５Ｈを送信情報（コマンド種別）として追加記憶する。
【０１４６】
また、所定の入賞演出期間が終了したタイミング（特図２待機時間管理用タイマの値が１から０になったタイミング）で開始する特図２状態更新処理では、所定の開放期間（例えば２９秒間、または可変入賞口２３４に所定球数（例えば１０球）の遊技球の入賞を検出するまで。）図３に示す可変入賞口２３４の扉部材２３４１の開閉駆動用のソレノイド（３３２）に、扉部材２３４１を開放状態に保持する信号を出力するとともに、ＲＡＭ３０８に設けた扉開放時間管理用タイマの記憶領域に開放期間を示す情報を設定する。また、コマンド設定送信処理（ステップＳ２１５）で一般コマンド大入賞口開放設定送信処理を実行させるために上述の送信情報記憶領域に７Ｈを送信情報（コマンド種別）として追加記憶する。
【０１４７】
また、所定の開放期間が終了したタイミング（扉開放時間管理用タイマの値が１から０になったタイミング）で開始する特図２状態更新処理では、所定の閉鎖期間（例えば１．５秒間）可変入賞口２３４の扉部材２３４１の開閉駆動用のソレノイド（３３２）に、扉部材２３４１を閉鎖状態に保持する信号を出力するとともに、ＲＡＭ３０８に設けた扉閉鎖時間管理用タイマの記憶領域に閉鎖期間を示す情報を設定する。また、コマンド設定送信処理（ステップＳ２１５）で一般コマンド大入賞口閉鎖設定送信処理を実行させるために上述の送信情報記憶領域に８Ｈを送信情報（コマンド種別）として追加記憶する。
【０１４８】
また、この扉部材２３４１の開放・閉鎖制御を所定回数（例えば１５ラウンドや２ラウンド）繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するためにＲＡＭ３０８に設けた演出待機時間管理用タイマの記憶領域に演出待機期間を示す情報を設定する。
【０１４９】
以上説明したように、主制御部３００のＣＰＵ３０４は、大当り遊技状態中（第２の制御状態中）に、可変入賞口２３４の扉部材２３４１の開閉状態の変化制御を行う可変入賞制御手段の一例に相当する。なお、主制御部３００のＲＯＭ３０６には、可変入賞口２３４の扉部材２３４１の開閉パターンが記憶されており、主制御部３００のＣＰＵ３０４は、そのＲＯＭ３０６から、特図変動遊技の当否判定に応じた開閉パターンを取得する。
【０１５０】
また、主制御部３００のＲＡＭ３０８には時短フラグの他に確変フラグも用意されており、主制御部３００のＣＰＵ３０４は、特図決定結果が表す停止図柄態様に基づいて、大当り遊技の終了と同時に、ＲＡＭ３０８に設けられた確変フラグや時短フラグをオンに設定する。すなわち、主制御部３００のＣＰＵ３０４は、特図決定結果が大当り図柄１〜３である場合には確変フラグと時短フラグの双方をオンに設定する。なお、特図決定結果が大当り図柄２である場合には、時短フラグをオンに設定するとともにＲＡＭ３０８に設けられた電サポ回数記憶部に電サポ回数１００回をセットする。確率フラグがオンに設定されていると、特図高確率状態（確率変動中）であり、大当り遊技終了後に大当りに当選する確率が高くなっている状態（特図高確率状態）である。一方、確率フラグがオンに設定されていない（オフに設定されている）と、特図低確率状態である。したがって、確率変動フラグの設定状態は、当否判定（特図の抽選）の結果に影響を与える。また、時短フラグがオンに設定されていると電サポ状態であり、電チューが開きやすい（例えば当りやすい）、一回の当りに基づく開放時間が長い、一回の当りに基づく開放回数が多いなど上記可変始動領域制御が遊技者に有利になるように行われる。反対に、時短フラグがオフに設定されていると非電サポ状態であり、上記可変始動領域制御が遊技者に不利になるように行われる。したがって、時短フラグの設定状態は、上記可変始動領域制御にも影響を与える。よって、確変フラグおよび／または時短フラグの設定状態を表す情報は、遊技制御情報の一例に相当し、主制御部３００のＣＰＵ３０４は遊技制御情報決定手段の一例に相当する。
【０１５１】
また、本実施形態では、後述する特図関連抽選処理における特図決定結果（特図の停止図柄態様）で特図決定結果が大当り図柄２に決定されていれば、主制御部３００のＣＰＵ３０４は、ＲＡＭ３０８に設けられた電サポ回数記憶部に電サポ回数１００回をセットするともに、ＲＡＭ３０８に設けられた時短フラグをオンする。主制御部３００のＣＰＵ３０４は、遊技球の、第２特図始動口２３２（可変始動領域）への進入のしやすさ（進入率）を制御した状態である進入率制御状態を、第一の進入率制御状態である非電サポ状態と第二の進入率制御状態である電サポ状態との間で変化させる進入率変化手段の一例に相当する。
【０１５２】
さらに、コマンド設定送信処理（ステップＳ２１５）で一般コマンド終了演出設定送信処理を実行させるために上述の送信情報記憶領域に６Ｈを送信情報（コマンド種別）として追加記憶する。
【０１５３】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果がハズレであれば、ハズレフラグがオンされる。このハズレフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次の処理に移行するようにしている。
【０１５４】
続いて、特図関連処理では、特図１についての特図状態更新処理（特図１状態更新処理）を行う。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１５５】
特図２状態更新処理および特図１状態更新処理が終了すると、今度は、特図１および特図２それぞれについての特図関連抽選処理を行う。この特図関連抽選処理では、抽選（当否判定）の実行、停止表示する特図の決定、および変動タイマ種別の決定を行う。特図関連抽選処理を実行する主制御部３００のＣＰＵ３０４が当否判定手段の一例に相当する。この特図関連抽選処理では、まず、所定の当否判定禁止条件が不成立であるか否かの判定を行う。ここでは、第２特図表示装置２１４が特図変動表示中であるか、または停止表示中であるか否かを判定し、いずれかの表示中である場合には主制御部タイマ割り込み処理に戻り、いずれの表示中でもない場合には、特図作動中に設定されているか特図非作動中に設定されているかを判定し、特図作動中に設定されていれば主制御部タイマ割り込み処理に戻り、特図非作動中に設定されていれば、当否判定禁止条件が不成立であったことになり、今度は、所定の当否判定条件が成立しているか否かの判定を行う。ここでの判定は、ＲＡＭ３０８に設けた特図２の保留記憶部を参照し、特図２変動遊技の保留数が０より大きいか否かを判定する。保留数が０であれば、主制御部タイマ割り込み処理に戻り、１以上であれば、所定の当否判定条件が成立していることになり、ＲＡＭ３０８に設けられた保留記憶部から、最も過去に格納した始動情報である１セット分の乱数値（大当り判定用乱数値、特図判定用乱数値、および変動タイマ種別乱数値）を取り出し、その保留記憶部にまだ格納されている始動情報（乱数値のセット）を、今記憶されている領域から隣の領域に移し替える。すなわち、最も過去に格納した始動情報を保留記憶部から取り出し、さらに保留記憶部に始動情報が格納されていれば、Ｎ番目に古い始動情報を保留記憶部におけるＮ−１番目に古い始動情報として設定したことになる。また、ＲＡＭ３０８に記憶している保留数を１減算する。ＲＡＭ３０８の保留記憶部から１セット分の乱数値（大当り判定用乱数値、特図判定用乱数値、および変動タイマ種別乱数値）を取り出す処理を行う主制御部３００のＣＰＵ３０４が、始動情報取得手段の一例に相当する。
【０１５６】
特図関連抽選処理では、最初に特図２についての処理（特図２関連抽選処理）が行われ、その後、特図１についての処理（特図１関連抽選処理）が行われる。このように、主制御部３００が特図２関連抽選処理を特図１関連抽選処理よりも先に行うことで、同じタイミング（所定の契機で開始した主制御部タイマ割込処理における入賞判定処理Ｓ２０９）で第１特図始動口２３０に遊技球が進入したことに基づいて始動情報を取得し、かつ第２特図始動口２３２に遊技球が進入したことに基づいて始動情報を取得した場合や、特図２変動遊技の開始条件と、特図１変動遊技の開始条件が同時に成立した場合や、特図２変動遊技の開始条件と特図１変動遊技の開始条件の両方が成立している場合でも、特図２変動遊技が先に変動中となるため、特図１変動遊技は変動を開始しない。すなわち、第２特図始動口２３２への入賞に基づく抽選（特図２の当否判定）を、第１特図始動口２３０への入賞に基づく抽選（特図１の当否判定）よりも優先して行う。本実施形態のパチンコ機１００では、第１の特別始動領域に遊技球が進入した場合に第１の乱数値記憶領域に乱数値を最大保留数まで格納し、第２の特別始動領域に遊技球が入賞した場合に第２の乱数値記憶領域に乱数値を最大保留数まで格納する入賞記憶部と、前記第１の乱数値記憶領域および前記第２の乱数値記憶領域の両方に乱数値が記憶されている場合に、前記第１の乱数値記憶領域に前記乱数値が記憶された時期および前記第２の乱数値記憶領域に前記乱数値が記憶された時期とは無関係に該第２の乱数値記憶領域に記憶されている乱数値に基づいて当否判定を行うとともに、前記第１の乱数値記憶領域に乱数値が記憶されておらず、かつ前記第２の乱数値記憶領域に乱数値が記憶されている場合には、該第２の乱数値記憶領域に記憶されている乱数値に基づいて当否判定を行い、前記第２の乱数値記憶領域に乱数値が記憶されておらず、かつ前記第１の乱数値記憶領域に乱数値が記憶されている場合には、該第１の乱数値記憶領域に記憶されている乱数値に基づいて当否判定を行う当否判定手段を備えている。また、第１特図表示装置２１２あるいは第２特図表示装置２１４による特図変動遊技の大当り判定の結果の報知は、主制御部３００で行われ、第２特図始動口２３２への入賞に基づく抽選の結果報知が、第１特図始動口２３０への入賞に基づく抽選の結果報知よりも優先して行われ、抽選が行われていない始動情報として、特図１の始動情報と特図２の始動情報のうちの特図１の始動情報のみが残って鋳る状態で、特図２の始動情報が新たに記憶された場合には、新たに記憶された特図２の始動情報に基づく抽選の結果の報知が、既に記憶されていた特図１の始動情報に基づく抽選の結果の報知よりも先に行われる。
【０１５７】
特図２関連抽選処理と特図１関連抽選処理との違いは、特図２の保留記憶部に記憶されている始動情報を用いるか、特図１の保留記憶部に記憶されている始動情報を用いるかの違いだけであり、以下の説明では、特図２と特図１を特に区別しないで説明する。
【０１５８】
図１１（ａ）は、特図関連抽選処理で用いられる当否決定用テーブルを示す図であり、同図（ｂ）は、特図関連抽選処理で用いられる特図決定用テーブルを示す図である。これらのテーブルも、主制御部３００のＲＯＭ３０６に記憶されている。図１１（ａ）に示す当否決定用テーブルの内容は図９（ａ）に示す当否事前判定用テーブルの内容と同じであり、図１１（ｂ）に示す特図決定用テーブルの内容は図９（ｂ）に示す特図事前判定用テーブルの内容と同じである。
【０１５９】
主制御部３００のＣＰＵ３０４は、ＲＡＭ３０８の保留記憶部から、始動情報すわなち１セット分の乱数値（大当り判定用乱数値、特図判定用乱数値、および変動タイマ種別乱数値）を取り出すと、まず、大当り判定用乱数値（取り得る数値範囲は０〜６５５３５）が同図（ａ）に示す当否判定用テーブル内のいずれの乱数範囲に属するかに基づいて、当否決定結果として「大当り」、「小当り」または「ハズレ」を導出する。この「大当り」、「小当り」または「ハズレ」を導出することが抽選（当否判定）に相当する。大当りの当選確率は、特図低確率状態では約１／３００であるのに対して、特図高確率状態では１／４０である。大当りは、所定の当否判定結果（第１の当否判定結果）の一例に相当する。
【０１６０】
当否決定結果が、「大当り」の場合には、今度は、特図判定用乱数値（取り得る数値範囲は０〜２５５）が同図（ｂ）に示す特図決定用テーブル内のいずれの乱数範囲に属するかに基づいて、特図決定結果として「大当り図柄１」〜「大当り図柄５」を導出する。また、当否決定結果が、「ハズレ」の場合にも、特図判定用乱数値が同図（ｂ）に示す特図決定用テーブル内のいずれの乱数範囲に属するかに基づいて、特図決定結果として「ハズレ図柄１」または「ハズレ図柄２」を導出する。なお、当否判定結果が、「小当り」の場合には、小当り用の特図は１種類であるため判定は行わない。特図決定結果は、第１特図表示装置２１２や第２特図表示装置２１４によって停止表示されることになる図柄を表す情報である。上述のごとく、第１特図表示装置２１２や第２特図表示装置２１４に「大当り図柄１」や「大当り図柄３」が停止表示されると、その後に行われる大当り遊技終了後、次回大当りまで、確変状態と電サポ状態が維持される。一方、第１特図表示装置２１２や第２特図表示装置２１４に「大当り図柄２」が停止表示されると、その後に行われる大当り遊技終了後、次回大当りまで確変状態は維持され、特図変動遊技が１００回行われる間、電サポ状態は維持される。
【０１６１】
図１１（ｃ）は、特図関連抽選処理で用いられる変動タイマ種別決定用テーブルを示す図である。この変動タイマ種別決定用テーブルも、主制御部３００のＲＯＭ３０６に記憶されている。
【０１６２】
主制御部３００のＣＰＵ３０４は、当否決定結果が得られると、その当否決定結果に応じて、変動タイマ種別乱数値（取り得る範囲は０〜２５５）が図１１（ｃ）に示す変動タイマ種別決定用テーブル内のいずれの乱数範囲に属するかに基づいて、変動タイマ種別決定結果として「リーチなし」、「ノーマルリーチ」、または「スーパーリーチ」を導出する。「ノーマルリーチ」および「スーパーリーチ」のリーチ態様は、当否決定結果がいずれの結果であっても選択され得るものである。「リーチなし」「ノーマルリーチ」「スーパーリーチ」は変動表示態様の一例に相当し、主制御部３００のＣＰＵ３０４は、複数種類用意された変動表示態様の中から装飾図柄表示手段２０８における装飾図柄の変動表示態様を、大当り判定用乱数値および変動タイマ種別乱数値に基づいて決定する変動表示態様決定手段の一例に相当する。なお、ここでは変動タイマ種別乱数値に基づき前記変動タイマ種別決定用テーブルを用いて変動タイマ種別を決定しているがこれに限らず、例えば所定の抽選により直接図１２（b）に示すような特図変動時間を決定しても良い。
【０１６３】
図１２（ａ）は、主制御部３００のＲＯＭ３０６に記憶されているタイマ番号決定用テーブルを示す図である。
【０１６４】
図６（ｂ）に示す主制御部タイマ割込処理における特図関連処理（ステップＳ２１３）では、図１１（ｃ）に示すテーブルを用いて変動タイマ種別決定結果が得られると、ＲＡＭ３０８に設けられたタイマ番号決定用乱数カウンタから、０から２５５の範囲の値を取り得るタイマ番号決定用乱数を取得する。このタイマ番号決定用乱数の取得タイミングは、特図変動開始直前のタイミングであるが、始動情報を取得するタイミングであってもよい。
【０１６５】
主制御部３００のＣＰＵ３０４は、取得したタイマ番号決定用乱数に基づいて、図１２（ａ）に示すタイマ番号決定用テーブルに規定されているタイマ番号を判定する。
【０１６６】
タイマ番号は、第２特図表示装置２１４あるいは第１特図表示装置２１２が、図柄の変動を開始してから当否判定の結果を表す停止図柄を表示するまでの時間、すなわち特図の変動表示する時間（特図変動時間）を表すものであるが、装飾図柄の変動時間としてもよい。
【０１６７】
図１２（ｂ）は、タイマ番号と特図変動時間の関係を示す図である。
【０１６８】
タイマ１は特図変動時間が２秒になる短縮された変動時間になることを表す。なお、タイマ１に決定されることを特図変短と称することがある。タイマ２は特図変動時間が５秒になる短めの通常変動時間になることを表し、タイマ３は特図変動時間が１０秒になる長めの通常変動時間になることを表す。タイマ１〜タイマ３では図３に示す装飾図柄表示装置２０８における装飾図柄の変動パターンはリーチなしになる。タイマ４は特図変動時間が１５秒の変動時間になることを表し、タイマ４に決定されると装飾図柄表示装置２０８における装飾図柄の変動パターンは短めのノーマルリーチが選択される。タイマ５は特図変動時間が２５秒の変動時間になることを表し、タイマ５に決定されると装飾図柄表示装置２０８における装飾図柄の変動パターンは長めのノーマルリーチが選択される。タイマ６は特図変動時間が３０秒の変動時間になることを表し、タイマ６に決定されると装飾図柄表示装置２０８における装飾図柄の変動パターンはスーパーリーチＡが選択される。タイマ７は特図変動時間が６０秒の変動時間になることを表し、タイマ７に決定されると装飾図柄表示装置２０８における装飾図柄の変動パターンはスーパーリーチＢが選択される。タイマ８は特図変動時間が９０秒の変動時間になることを表し、タイマ８に決定されると装飾図柄表示装置２０８における装飾図柄の変動パターンはスーパーリーチＣが選択される。
【０１６９】
また、図１２（ａ）に示すタイマ番号決定用テーブルにおいて規定されている特図の保留数は、第１特図始動口２３０への入球に基づくものと第２特図始動口２３２への入球に基づくものの合計値である。上述のごとく、本実施形態では、ＲＡＭ３０８に設けられた保留記憶部から１セット分の乱数値（大当り判定用乱数値、特図判定用乱数値、および変動タイマ種別乱数値）を取り出したタイミングで保留数を１減算する関係から、保留数の最小値は０、最大値は７になる。
【０１７０】
図１２（ａ）に示すように、変動タイマ種別決定結果が「ノーマルリーチ」や「スーパーリーチ」であった場合には保留数に関係なく、タイマ番号が決定される。
【０１７１】
図１２に示すように、変動タイマ種別の表す装飾図柄の変動態様の種類と、決定されたタイマ番号に基づいて装飾図柄表示装置２０８において表示される装飾図柄の変動パターンとは一致している。
【０１７２】
続いて、図６（ｂ）に示す主制御部タイマ割込処理におけるコマンド設定送信処理（ステップＳ２１５）について説明する。このコマンド設定送信処理では、各種のコマンドが第１副制御部４００に送信される。なお、第１副制御部４００に送信する出力予定情報は本実施形態では１６ビットで構成しており、ビット１５はストローブ情報（オンの場合、データをセットしていることを示す）、ビット１１〜１４はコマンド種別（本実施形態では、基本コマンド、図柄変動開始コマンド、図柄変動停止コマンド、入賞演出開始コマンド、終了演出開始コマンド、当りラウンド数指定コマンド、復電コマンド、ＲＡＭクリアコマンド、特図保留増加コマンド、普図保留増加コマンドなどコマンドの種類を特定可能な情報）、ビット０〜１０はコマンドデータ（コマンド種別に対応する所定の情報）で構成している。
【０１７３】
具体的には、ストローブ情報は上述のコマンド送信処理でオン、オフするようにしている。また、コマンド種別が図柄変動開始コマンドの場合であればコマンドデータに、特図停止図柄を表す情報、制御状態を表す情報（時短フラグおよび確変フラグの設定状態を表す情報）、上述のタイマ番号などを示す情報を含み、図柄変動停止コマンドの場合であれば、特図停止図柄を表す情報（特図決定結果）、制御状態を表す情報などを含み、入賞演出コマンドおよび終了演出開始コマンドの場合であれば、制御状態を表す情報などを含み、当りラウンド数指定コマンドの場合であれば制御状態を表す情報、当りラウンド数などを含むようにしている。コマンド種別が基本コマンドを示す場合は、コマンドデータにデバイス情報、第１特図始動口２３０への入賞の有無、第２特図始動口２３２への入賞の有無、可変入賞口２３４への入賞の有無などを含む。
【０１７４】
また、上述の一般コマンド回転開始設定送信処理では、コマンドデータにＲＡＭ３０８に記憶している、特図停止図柄を表す情報（特図決定結果）、制御状態を表す情報、上述のタイマ番号、保留している第１特図変動遊技または第２特図変動遊技の数などを示す情報を設定する。上述の一般コマンド回転停止設定送信処理では、コマンドデータにＲＡＭ３０８に記憶している、特図停止図柄を表す情報（特図決定結果）、制御状態を表す情報などを示す情報を設定する。上述の一般コマンド入賞演出設定送信処理では、コマンドデータに、ＲＡＭ３０８に記憶している、入賞演出期間中に装飾図柄表示装置２０８・各種ランプ４１８・スピーカ１２０に出力する演出制御情報、制御状態を表す情報、保留している第１特図変動遊技または第２特図変動遊技の数などを示す情報を設定する。上述の一般コマンド終了演出設定送信処理では、コマンドデータに、ＲＡＭ３０８に記憶している、演出待機期間中に装飾図柄表示装置２０８・各種ランプ４１８・スピーカ１２０に出力する演出制御情報、制御状態を表す情報、保留している第１特図変動遊技または第２特図変動遊技の数などを示す情報を設定する。上述の一般コマンド大入賞口開放設定送信処理では、コマンドデータに、ＲＡＭ３０８に記憶している当りラウンド数、現在のラウンド数、制御状態を表す情報などを示す情報を設定する。上述の一般コマンド大入賞口閉鎖設定送信処理では、コマンドデータに、ＲＡＭ３０８に記憶している現在のラウンド数、制御状態を表す情報、保留している第１特図変動遊技または第２特図変動遊技の数などを示す情報を設定する。
【０１７５】
また、このステップＳ２１５では一般コマンド特図保留増加処理も行われる。この一般コマンド特図保留増加処理では、特図保留増加コマンドのコマンドデータにＲＡＭ３０８の送信用情報記憶領域に記憶している特図識別情報（特図１または特図２を示す情報）、制御状態を表す情報、特図１あるいは特図２事前判定結果記憶領域３０８１に記憶されている事前判定情報（停止図柄情報および変動タイマ種別事前判定結果、あるいは未判定情報）を設定する。
【０１７６】
さらに、このステップＳ２１５では一般コマンド普図保留増加処理も行われる。この一般コマンド普図保留増加処理では、普図保留増加コマンドのコマンドデータに、制御状態を表す情報等を設定する。また、主制御部３００から第１副制御部４００には、普図絡みのコマンドとして、普図の変動表示が開始した（する）ことを表す普図変動開始コマンドも送信される。なお、主制御部３００から第１副制御部４００には、普図の変動表示が停止した（する）ことを表す普図変動停止コマンドや、一対の羽根部材２３２１が開放を開始した（する）ことを表す電チュー開放開始コマンドや、一対の羽根部材２３２１が閉鎖した（する）ことを表す電チュー閉鎖コマンドを送信するようにしてもよい。
【０１７７】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。また、第１副制御部４００では、コマンドに含まれている当りラウンド数と現在のラウンド数に基づき、当り全ラウンドが終了するまでの残りラウンド数を取得する。
【０１７８】
また、このコマンド設定送信処理では、図４に示す払出制御部６００にもコマンドを送信する。払出制御部６００に出力する出力予定情報および払出要求情報は１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【０１７９】
次に、図６（ｂ）に示す主制御部タイマ割込処理では、外部出力信号設定処理（ステップＳ２１７）を行う。この外部出力信号設定処理では、ＲＡＭ３０８に記憶している遊技情報を、図４に示す情報出力回路３３６を介してパチンコ機１００とは別体の情報入力回路３５０に出力する。
【０１８０】
ステップＳ２１９では、デバイス監視処理を行う。このデバイス監視処理では、上述のステップＳ２０１において信号状態記憶領域に記憶した各種センサの信号状態を読み出して、前面枠扉開放エラーの有無または下皿満タンエラーの有無などを監視し、前面枠扉開放エラーまたは下皿満タンエラーを検出した場合に、第１副制御部４００に送信すべき送信情報に、前面枠扉開放エラーの有無または下皿満タンエラーの有無を示すデバイス情報を設定する。ここで設定したデバイス情報は基本コマンドに含められて、第１副制御部４００に送信される。また、図４に示す各種ソレノイド３３２を駆動して第２特図始動口２３２や、可変入賞口２３４の開閉を制御したり、表示回路３２４、３２６、３３０を介して普通図柄表示装置２１０、第１特図表示装置２１２、第２特図表示装置２１４、各種状態表示部３２８などに出力する表示データを、Ｉ／Ｏ３１０の出力ポートに設定する。
【０１８１】
ステップＳ２１９のデバイス監視処理が終了すると、図６（ａ）に示す主制御部メイン処理に復帰するが、復帰前には、ステップＳ２０１で一時的に退避した各レジスタの値を元の各レジスタに設定したり、割込許可の設定などを行う。また、復帰前に、低電圧信号がオンであるか否かを監視して、低電圧信号がオンの場合（電源の遮断を検知した場合）には、復電時に電断時の状態に復帰するための特定の変数やスタックポインタを復帰データとしてＲＡＭ３０８の所定の領域に退避し、入出力ポートの初期化等の電断処理を行って、その後、主制御部メイン処理に復帰するようにしてもよい。
＜第１副制御部４００の処理＞
図１３を用いて、第１副制御部４００の処理について説明する。なお、同図（ａ）は、第１副制御部４００のＣＰＵ４０４が実行するメイン処理のフローチャートである。
【０１８２】
まず、同図（ａ）のステップＳ３０１では、各種の初期設定を行う。電源投入が行われると、ステップＳ３０１の初期設定が実行される。この初期設定では、図４に示すＩ／Ｏポート４１０の初期設定や、ＲＡＭ４０８内の記憶領域の初期化処理等を行う。
【０１８３】
ステップＳ３０３では、タイマ変数が１０以上か否かを判定し、タイマ変数が１０となるまでこの処理を繰り返し、タイマ変数が１０以上となったときには、ステップＳ３０５の処理に移行する。
【０１８４】
ステップＳ３０５では、タイマ変数に０を代入する。
【０１８５】
ステップＳ３０７では、コマンド処理を行う。第１副制御部４００のＣＰＵ４０４は、主制御部３００からコマンドを受信したか否かを判別する。
【０１８６】
ステップＳ３０９では、演出制御処理を行う。例えば、Ｓ３０７で新たなコマンドがあった場合には、このコマンドに対応する演出データをＲＯＭ４０６から読み出す等の処理を行い、演出データの更新が必要な場合には演出データの更新処理を行う。この演出制御処理についてはさらに詳しく後述する。
【０１８７】
ステップＳ３１１では、図１に示すチャンスボタン１３６の押下を検出していた場合、ステップＳ３０９で更新した演出データをチャンスボタン１３６の押下に応じた演出データに変更する処理を行う。
【０１８８】
ステップＳ３１３では、Ｓ３０９で読み出した演出データの中に音源ＩＣ４１６への命令がある場合には、この命令を音源ＩＣ４１６に出力する。
【０１８９】
ステップＳ３１５では、Ｓ３０９で読み出した演出データの中に各種ランプ４１８の駆動回路４２０への命令がある場合には、この命令を駆動回路４２０に出力する。
【０１９０】
ステップＳ３１７では、Ｓ３０９で読み出した演出データの中に演出可動体２２４の駆動回路４２２への命令がある場合には、この命令を駆動回路４２２に出力する。
【０１９１】
ステップＳ３１９では、Ｓ３０９で読み出した演出データの中に第２副制御部５００に送信する制御コマンドがある場合には、この制御コマンドを出力する設定を行い、Ｓ３０３へ戻る。
【０１９２】
次に、図１３（ｂ）を用いて、第１副制御部４００のコマンド受信割込処理について説明する。図１３（ｂ）は、第１副制御部４００のコマンド受信割込処理のフローチャートである。このコマンド受信割込処理は、第１副制御部４００が、主制御部３００が出力するストローブ信号を検出した場合に実行する処理である。コマンド受信割込処理のステップＳ３３１では、主制御部３００が出力したコマンドを未処理コマンドとしてＲＡＭ４０８に設けたコマンド記憶領域に記憶し、このコマンド受信割込処理が終了する。
【０１９３】
次に、図１３（ｃ）を用いて、第１副制御部４００のＣＰＵ４０４によって実行する第１副制御部タイマ割込処理について説明する。図１３（ｃ）は、第１副制御部４００のタイマ割込処理のフローチャートである。第１副制御部４００は、所定の周期（本実施形態では２ｍｓに１回）でタイマ割込を発生するハードウェアタイマを備えており、このタイマ割込を契機として、タイマ割込処理を所定の周期で実行する。
【０１９４】
第１副制御部タイマ割込処理のステップＳ３４１では、図１３（ａ）に示す第１副制御部メイン処理におけるステップＳ３０３において説明したＲＡＭ４０８のタイマ変数記憶領域の値に、１を加算して元のタイマ変数記憶領域に記憶する。従って、ステップＳ３０３において、タイマ変数の値が１０以上と判定されるのは２０ｍｓ毎（２ｍｓ×１０）となる。
【０１９５】
第１副制御部タイマ割込処理のステップＳ３４３では、ステップＳ３１９で設定された第２副制御部５００への制御コマンドの送信や、演出用乱数値の更新処理等を行い、このタイマ割込処理が終了する。
【０１９６】
続いて、図１３（ｄ）を用いて、第１副制御部４００のメイン処理における演出制御処理（ステップＳ３０９）について説明する。図１３（ｄ）は、第１副制御部４００における演出制御処理の流れを示すフローチャートである。
【０１９７】
この演出制御処理では、先読み報知処理を実行し（ステップＳ３０９１）、次いで、その他の演出関連処理を実行して（ステップＳ３０９２）、図１３（ａ）に示す第１副制御部４００のメイン処理に復帰する。
【０１９８】
図１３（ｅ）は、同図（ｄ）に示す先読み報知処理の流れを示すフローチャートである。
【０１９９】
第１副制御部４００のＣＰＵ４０４は、主制御部３００から特図保留増加コマンドを受信すると、受信した特図保留増加コマンドに含まれている、特図識別情報（特図１または特図２を示す情報）や、事前判定情報（停止図柄情報および変動タイマ種別事前判定結果、あるいは未判定情報）を取得する（ステップＳ３０９１ａ）。
【０２００】
次いで、先読み演出抽選処理を実行する（ステップＳ３０９１ｂ）。
【０２０１】
図１４は、第１副制御部４００のＲＯＭ４０６に記憶されている先読み演出報知態様決定テーブルを示す図である。
【０２０２】
ステップＳ３０９１ｂにおける先読み演出抽選処理では、ＲＡＭ４０８に設けられた先読み演出決定用乱数カウンタから、０から６５５３５の範囲の値を取り得る先読み演出決定用乱数を取得する。
【０２０３】
第１副制御部４００のＣＰＵ４０４は、取得した先読み演出決定用乱数に基づいて、図１４に示す先読み演出報知態様決定テーブルに規定されている先読み演出報知態様を判定する。詳しくは後述するが、装飾図柄表示装置２０８における演出表示領域２０８ｄの左側で特図１についての先読み演出が行われ、右側で特図２についての先読み演出が行われる。先読み演出は、所定の図柄（ここでは人型の図柄）を表示することによって行われる予告演出の一種である。この先読み演出の報知態様には、ちょんまげをした人型の図柄（以下、「ちょんまげ柄」と称する）、赤色の人型の図柄（以下、「赤柄」と称する）、黄色の人型の図柄（以下、「黄柄」と称する）、青色の人型の図柄（以下、「青柄」と称する）、および半透明の人型の図柄 （以下、「半透明柄」と称するが用意されている。これらの人型の図柄は保留数を表す表示と兼ねている。すなわち、４体の人型の表示は、保留数が４つであることを表す。また、半透明の人型の図柄は、先読み演出が行われていないことを表す。なお、半透明の人型の図柄に代えて完全に透明な人型の図柄を表示するようにしてもよい。完全に透明な人型の図柄は、 表示されても遊技者には見えず、ここでは非表示のもの、すなわち先読み演出が行われていないものとして扱う。あるいは、完全な透明な人型の図柄を表示する処理に代えて、人型を表示する処理自体を行わないようにしてもよい。
【０２０４】
また、ここで行う先読み演出は、当否判定結果が大当りであることを、当否判定前に遊技者に期待させる演出であり、偽の演出（大当りではないにも関わらず大当りと期待させる演出）も含まれており、報知態様は、演出の信頼度（大当りの確かさ）に応じて使い分けられる。ここでは、信頼度が最も高い報知態様は「ちょんまげ柄」であり、二番目に高い報知態様は「赤柄」、次いて「黄柄」であり、最も低い報知態様は「青柄」である。遊技者に、項略本等で報知態様ごとの信頼度を知っていてもらえば、先読み演出自体による興趣の向上に加えて、報知態様によるさらなる興趣の向上が期待できる。先読み演出は、本発明にいう事前予告報知の一例に相当し、「ちょんまげ柄」、「赤柄」、「黄柄」、「青柄」、および「半透明柄」は、本発明にいう第一の報知態様の一例に相当する。
【０２０５】
本実施形態では、図１４に示すように、事前判定結果の停止図柄がハズレの場合には、「ちょんまげ柄」は出現せず、変動タイマ種別が「スーパーリーチ」の場合を除いて、多くの場合は、先読み演出は行われない。図１４でかっこ書きで示す数字は、選択確率を表す数字である。また、事前判定情報が未判定情報であった場合には、先読み演出と同じ人型による演出（以下、この演出を「先読関連演出」と称する）が約１５％の確率で行われ、約８５％の確率で先読み演出も先読関連演出も行われない。事前判定情報が未判定情報であった場合には、事前判定が行われていないことから、先読み演出を行ってしまうと、その先読み演出は信頼度が０％のものになってしまう。反対に、演出を一切行わないものとすると、遊技の興趣が著しく低下してしまう。そこで、本実施形態では、先読み演出の報知態様に関連した報知態様による先読関連演出を行う。この先読関連演出は、事前判定結果には基づかずに未判定情報が記憶されていることに基づいて行われる予告演出の一種である。未判定情報が記憶されているということは、始動情報が特図１の保留記憶部（第一の始動情報記憶部）に記憶されていることになり、言い換えれば、先読関連演出は、始動情報が特図１の保留記憶部（第一の始動情報記憶部）に記憶されていることに基づいて行われるものであり、事前演出の一例に相当する。ここでは、先読み演出に用意された複数種類の報知態様（「ちょんまげ柄」「赤柄」「黄柄」「青柄」「半透明柄」）のうち、一部の報知態様と同じ報知態様によって先読関連演出を行う。すなわち、先読関連演出はそもそも信頼度が０％であるため、先読み演出に用意された複数種類の報知態様のうち、信頼度が低めの報知態様と同じ報知態様によって先読関連演出を行う。なお、先読関連演出を頻繁に行うと、報知態様が先読み演出と関連している（ここでは同じである）ことから先読み演出自体の効果が低下してしまう恐れがある。このため、事前判定情報が未判定情報であった場合には、先読関連演出を行う（ここでは「黄柄」「青柄」の人型の表示を行う）確率と行わない（ここでは「半透明型」の人型の表示を行う）確率を異ならせている。より具体的には、先読関連演出を行う確率よりも行わない確率が高くなるようにして、遊技の興趣を高めている。ただし、先読関連演出を必ず行うようにしてもよい。先読関連演出は、本発明にいう事前演出の一例に相当し、「黄柄」、「青柄」、および「半透明柄」は、本発明にいう第二の報知態様の一例に相当する。
【０２０６】
一方、事前判定情報が大当りであった場合には、先読み演出を行わない確率よりも行う確率が高くなるようにして、遊技の興趣を高めている。しかも、変動タイマ種別が「スーパーリーチ」であった場合には、この場合に限って選択可能な「ちょんまげ柄」が用意されている。第１副制御部４００は、事前判定結果の停止図柄を表す情報と変動タイマ種別を表す情報に基づいて先読み演出の報知態様を決定する。事前判定結果の停止図柄は、先読みした、大当り判定用乱数値および特図判定用乱数値に基づいて事前判定されたものであり、事前判定結果の変動タイマ種別は、先読みした変動タイマ種別乱数値に基づいて事前判定されたものである。したがって、第１副制御部４００は、先読みした、大当り判定用乱数値および特図判定用乱数値に基づいて先読み演出の報知態様を決定するものであり、第一報知態様決定手段の一例に相当する。
【０２０７】
なお、未判定情報であった場合に限らず、特定の状態では事前判定情報を無視するようにしてもよい。
【０２０８】
以上説明したように、本実施形態では、変動タイマ種別に基づいて先読み演出態様の振り分けを異ならせている。こうすることで、例えば『ハズレ』で『リーチなし』の保留に対して、期待値の高い「赤柄」で先読み報知演出が行われるような場合を防ぐことができる。また、当否判定結果が同じハズレでも変動態様により期待を持たせた図柄変動停止表示は、リーチ態様で煽ることができる。さらに、未判定情報に基づき先読関連演出が行われる場合、事前判定情報に関わらずに、先読み演出の信頼度が低い報知態様と同一の報知態様に決定されるため、先読み演出の信頼度が非常に低い状態を保ちつつ演出の実行が可能となる。
【０２０９】
ステップＳ３０９１ｂに続くステップＳ３０９１ｃでは、先読み演出実行処理を行い、図１３（ｄ）に示す演出制御処理に復帰する。ステップＳ３０９１ｃの先読み演出実行処理では、ステップＤ３０９１ｂで決定された報知態様の先読み演出あるいは先読関連演出を装飾図柄表示装置２０８に実行させるための制御コマンドを、ＲＡＭ４０８の送信領域に設定する。ＲＡＭ４０８の送信領域に設定された制御コマンドは、図１３（ａ）に示すステップＳ３１９の情報送信処理において第２副制御部５００へ送信される。第２副制御部５００では、第１副制御部４００から送信されてきた制御コマンドに基づいて、装飾図柄表示装置２０８の制御を実行する。したがって、第１副制御部４００、第２副制御部５００、および装飾図柄表示装置２０８を併せたものが、事前予告手段の一例に相当し、事前演出手段の一例にも相当する。
【０２１０】
なお、本実施形態では、図８に示す特図先読み処理において、特図１については大当り遊技中である場合や電サポ中である場合に事前判定を行わなかったが、図８に示すステップＳ２２６およびステップＳ２２７を廃止して、主制御部３００による事前判定は一律に行い、図１３（ｅ）に示すステップＳ３０９１ｃで特定の状態（例えば、大当り遊技状態および／または電サポ状態）であるか否かを判定して、特定の状態であれば先読み演出は取り止め、先読関連演出を行うようにしてもよい。
【０２１１】
次に、本実施形態によるパチンコ機１００で電サポ中に保留された特図１変動遊技の事前判定には基づかない報知態様、すなわち未判定情報に基づく報知態様で行われる先読み演出の具体例について説明する。まず、図１５を用いて、従来の問題点を指摘する。図１５は、特図２優先変動が行われる、いわゆる右打ちタイプの従来の遊技台における先読み演出の一例を示す図である。この図１５では、（ａ）〜（ｄ）の順で従来のパチンコ機の様子を時系列的に示している（以降で参照する図１６，図１８，図１９においても同様）。
【０２１２】
図１５における各図には、装飾図柄表示装置２０８、普図始動口２２８、第１特図保留ランプ２１８、第２特図保留ランプ２２０、第１特図表示装置２１２、第２特図表示装置２１４、第１特図始動口２３０、第２特図始動口２３２、第２特図始動口２３２の一対の羽根部材２３２１が示されている。また、各図の右側には、ＲＡＭ３０８に用意された特図１事前判定結果記憶領域３０８１と特図２事前判定結果記憶領域３０８２が示されている。
【０２１３】
図１５に示す例では、電サポ状態中であるが、同図（ａ）では一対の羽根部材２３２１は閉じた状態にある。図１５（ａ）に示す第１特図保留ランプ２１８は、電サポ状態中に２つ点灯し、特図１変動遊技が２つ保留されていることが報知されている。一方、第２特図保留ランプ２２０は総て消灯しており、特図２変動遊技の保留はない状態である。この従来例では、特図１変動遊技の、電サポ状態中の入賞に基づく２つの保留それぞれの始動情報について先読みが行われ、事前判定が行われている。図１５（ａ）に示す特図１事前判定結果記憶領域３０８１の古い方の保留（保留１）に対応した領域にも新しい方の保留（保留２）に対応した領域にも、ハズレ図柄１を表す情報とリーチなしを表す情報が格納されている。図１５（ａ）に示す第１特図表示装置２１２は、保留１に基づく特図１変動遊技を実行するとともに、装飾図柄表示装置２０８では装飾図柄の変動表示が行われている。また、装飾図柄表示装置２０８における演出表示領域２０８ｄの、特図１についての先読み演出が行われる左側部分には、「半透明柄」の人型が２つ表示されている（図では点線で表示）。これらの「半透明型」の人型の表示は、特図１変動遊技の２つ保留に対応した事前判定の結果に基づく先読み演出であるが、先読み演出が行われていないことを表す表示である。
【０２１４】
さらに、図１５（ａ）には、第１特図始動口２３０に遊技球Ｂが１球進入する様子が示されている。
【０２１５】
同図（ｂ）では、同図（ａ）からの保留１に基づく特図１変動遊技が継続されており、同図（ａ）で第１特図始動口２３０に遊技球Ｂが１球進入したことに基づいて、始動情報が導出され、その始動情報を先読みして事前判定した結果が、特図１事前判定結果記憶領域３０８１の３つ目の保留（保留３）に対応した領域に格納されている。ここでの事前判定結果は、停止図柄（特図１事前判定結果）が大当り図柄１であり、変動タイマ種別情報がスーパーリーチである。同図（ｂ）に示す装飾図柄表示装置２０８における演出表示領域２０８ｄの、特図１についての先読み演出が行われる左側部分には、「半透明柄」の２つの人型の右横に「ちょんまげ柄」の人型が表示されている。
【０２１６】
同図（ｃ）でも、同図（ａ）からの保留１に基づく特図１変動遊技が継続されている。この同図（ｃ）では、普図始動口２２８を遊技球Ｂが１球通過し、普図変動遊技に当選して、電サポ状態のもと一対の羽根部材２３２１が開き、第２特図始動口２３２へ遊技球Ｂが２球続けて進入する。特図２変動遊技の保留数は２つ増加し、特図２事前判定結果記憶領域３０８２には、保留２つ分の事前判定情報が格納される。同図（ｃ）に示す特図２事前判定結果記憶領域３０８２における保留１に対応した領域には、ハズレ図柄１を表す情報とノーマルリーチを表す情報が格納され、保留２に対応した領域には、ハズレ図柄１を表す情報とリーチなしを表す情報が格納されている。また、同図（ｃ）に示す装飾図柄表示装置２０８における演出表示領域２０８ｄの、特図２についての先読み演出が行われる右側部分には、保留１に対応した「黄色」の人型と、保留２に対応した「青色」の人型が表示されている。
【０２１７】
やがて、同図（ａ）から変動を続けていた保留１に基づく特図１表示装置２１２にはハズレ図柄１が停止表示される。また、装飾図柄表示装置２０８にはリーチなしの変動態様を経てハズレに対応した装飾図柄の組み合わせが停止表示される。次いで、特図２優先変動によって、特図２の保留が特図１の保留よりも先に消化される。「ちょんまげ柄」が大当りの信頼度が高いことを知っている遊技者は、特図１の「ちょんまげ柄」の先読み演出によって、特図１で大当りが獲得できたことを知り、今度は、特図２で大当りを獲得しようとして、第２特図始動口２３２を狙った右打ちを開始する。このように特図１で信頼度の高い先読み演出を行ってしまうと、まずは、第１特図始動口２３０を狙って、特図１で大当りを獲得してから第２特図始動口２３２を狙うといったストック方法が可能になり、このストック方法を知っている者と知らない者との間では、大当りを２つ獲得することができるか１つしか獲得することができないかで不公平感が生じ、誰にでも公平に楽しめる遊技台ではなくなってしまう。
【０２１８】
ここでは、図１５（ｃ）の状態から、第１特図始動口２３０にも第２特図始動口２３２にも一球も入球がなかったことにして説明を続ける。特図２の保留が総て消化されてから、特図１の保留が順次消化される。やがて、図１５（ｃ）に示す特図１事前判定結果記憶領域３０８１に示す保留３に基づいた特図１変動遊技で大当りに当選し、図１５（ｄ）に示すように、装飾図柄表示装置２０８には、図５（ｂ）に示す“装飾図柄の組合せ２”の一例である「装飾７−装飾７−装飾７」が停止表示する。
【０２１９】
図１６は、本実施形態のパチンコ機における演出の一例を示す図である。この図１６では、図１５に示す例との相違点を中心に説明し、重複する説明は省略することがある。
【０２２０】
本実施形態のパチンコ機では電サポ状態中には事前判定情報には基づかない報知態様、すなわち未判定情報に基づく報知態様で先読み演出と同じ人型による先読関連演出を行う。遊技者から見れば、先読み演出と先読関連演出は同じ報知態様のため区別がつかず、遊技者は、先読関連演出を行っていても先読み演出が行われているように思う。特図１変動遊技の、電サポ状態中の入賞に基づく最初の２つの保留それぞれについては、未判定情報に基づき「半透明柄」の報知態様による先読関連演出が行われているが、この「半透明柄」の人型は先読み演出が行われていないことを表す表示である。ただし、上級者は、電サポ状態では先読み演出は行われず、代わりに信頼度０％の先読関連演出が行われることを知っている場合がある。同図（ｂ）で電サポ状態中に第１特図始動口２３０に遊技球Ｂが１球進入したことによって導出された始動情報は、図１５に示す例と同じく「大当り図柄１」の「スーパーリーチ」になる始動情報であるが、先読みおよび事前判定を行わず、第１副制御部４００は、未判定情報という信頼度０％の情報に基づいて先読関連演出の報知態様を決定する。ここではたまたま「青柄」の報知態様に決定され、「半透明柄」の２つの人型の右横には「青柄」の人型が表示されている。第２特図始動口２３２の一対の羽根部材２３２１の作動状態を見て（例えば同図（ｃ）に示す作動状態）、現在、電サポ中であることがわかり、電サポ中は先読み演出が行われないことを知っている遊技者（例えば上級者）であれば、先読み演出が行われる第２特図始動口２３２を最初から狙い、上述のストック方法はあきらめている。したがって、本実施形態のパチンコ機１００では、不公平感が生じずに、誰にでも公平に楽しめるものである。また、電サポ中は先読み演出が行われないことを知らない者であっても、「青型」が大当りの信頼度が低いことを知っている遊技者（例えば中級者）は、特図１で大当りを本当に獲得することができたとは思わないものの、少しの期待をいだき、遊技の興趣が向上する場合がある。人型の報知態様の信頼度について全く知らない遊技者（例えば初級者）は、「青型」であろうと人型の表示がなされたことで、遊技の興趣が大きく向上する場合がある。このように、本実施形態のパチンコ機１００によれば、予告演出によって遊技の興趣を高めながらも初中級者でも遊技を楽しむことができる。
【０２２１】
続いて、本発明の第２実施形態のパチンコ機について説明する。以下の説明では、第１実施形態のパチンコ機１００における構成要素の名称と同じ名称の構成要素にはこれまで用いた符号と同じ符号を付して説明し、重複する説明は省略することがある。
【０２２２】
図１７は、第２実施形態における特図先読み処理の流れを示すフローチャートである。
【０２２３】
第２実施形態における主制御部３００のＣＰＵ３０４は、特図２の保留記憶部（第２の始動情報記憶部）に記憶されている始動情報を用いた先読み処理（特図２の先読み処理）については、図８に示す第１実施形態の特図先読み処理（ステップＳ２２１〜ステップＳ２２４）と同様の処理を行う（ステップＳ４２１〜ステップＳ４２４）。
【０２２４】
一方、特図１の保留記憶部に記憶されている始動情報を用いた特図先読み処理（特図１の先読み処理）では、特図１の始動情報（特図１大当り判定用乱数値、特図１判定用乱数値、および変動タイマ種別乱数値）の増加があったか否かを判定し（ステップＳ４２５）、増加していれば、ＲＡＭ３０８に用意された特図１事前判定結果記憶領域に、いずれ電サポ状態に移行する可能性がある大当り図柄（大当り図柄１〜５）の停止図柄（特図１事前判定結果）を表す情報が格納されているか否かを判定する（ステップＳ４２６）。特図１事前判定結果記憶領域に、大当り図柄の停止図柄（特図１事前判定結果）を表す情報が一つでも格納されていれば、図８に示すステップＳ２３１と同じステップＳ４３１へ進み、特図１事前判定結果記憶領域の、今回増加した特図１の始動情報の保留に対応した領域に、今回増加した特図１の始動情報に基づく停止図柄や変動タイマ種別の事前判定が行われていないことを表す「未判定」情報を記憶し、図６（ｂ）に示す主制御部タイマ割込処理に復帰する。
【０２２５】
反対に、特図１事前判定結果記憶領域に、大当り図柄の停止図柄を表す情報が一つも格納されていない場合には、特図変動停止表示が行われていれば、その特図変動停止表示によって停止表示される特図の停止図柄が、いずれ電サポ状態に移行する可能性がある大当り図柄（大当り図柄１〜５）であるか否かを判定し（ステップＳ４２７）、大当り図柄であればステップＳ４３１へ進む。一方、大当り図柄でなければ、図８に示すステップＳ２２８〜ステップＳ２３０と同様、増加した特図１の始動情報の先読みおよび先読みした始動情報に基づく事前判定を行い、特図１事前判定結果記憶領域に事前判定結果（特図１事前判定結果および変動タイマ種別事前判定結果）を記憶する（ステップＳ４２８〜ステップＳ４３０）。
【０２２６】
なお、ステップＳ４２６およびステップＳ４２７それぞれでは、いずれ電サポ状態に移行する可能性がある大当り図柄として大当り図柄１〜５総てを対象にしているが、電サポ状態へ必ず移行する電サポ付きの大当り図柄（大当り図柄１〜３）のみを対象にしてもよい。すなわち、ステップＳ４２６では、特図１事前判定結果記憶領域に、大当り図柄１〜３の停止図柄（特図１事前判定結果）を表す情報が格納されているか否かを判定し、ステップＳ４２７では、特図変動停止表示によって停止表示される特図の停止図柄が大当り図柄１〜３であるか否かを判定するようにしてもよい。
【０２２７】
また、ここでは現在の状態が電サポ状態中であるか否か、および大当り遊技中であるか否かを考慮しないが、非電サポ状態中あるいは非大当り遊技中の場合には、ステップＳ４２６、およびステップＳ４２６における判定が否定的であればステップＳ４２７における判定を実施し、電サポ状態中あるいは大当り遊技中にはステップＳ４２６およびステップＳ４２７における判定を実施しないようにしてもよい。
【０２２８】
図１８は、特図２優先変動が行われる、いわゆる右打ちタイプの従来の遊技台における先読み演出の、図１５に示す例とは異なる一例を示す図である。この図１８でも、図１５に示す例との相違点を中心に説明し、重複する説明は省略することがある。
【０２２９】
図１８に示す例でも、電サポ状態中であるが、同図（ａ）では一対の羽根部材２３２１は閉じた状態にある。図１８（ａ）に示す第１特図保留ランプ２１８は、電サポ状態中に３つ点灯し、特図１変動遊技が３つ保留されていることが報知されている。一方、第２特図保留ランプ２２０は総て消灯しており、特図２変動遊技の保留はない状態である。この従来例では、特図１変動遊技の、電サポ状態中の入賞に基づく３つの保留それぞれの始動情報について先読みが行われ、事前判定が行われている。図１８（ａ）に示す特図１事前判定結果記憶領域３０８１の最も古い保留（保留１）に対応した領域には、大当り図柄３を表す情報とスーパーリーチを表す情報が格納されており、２番目に古い保留（保留２）に対応した領域には、ハズレ図柄１を表す情報とリーチなしを表す情報が格納されている。さらに、最も新しい保留（保留３）に対応した領域には、大当り図柄１を表す情報とスーパーリーチを表す情報が格納されている。すなわち、先の保留された方（保留１）の先始動情報に基づく事前判定結果が大当り図柄３であり、後に保留された方（保留３）の後始動情報に基づく事前判定結果が大当り図柄１である。図１８（ａ）に示す第１特図表示装置２１２は、保留１に基づく特図１変動遊技を実行するとともに、飾図柄表示装置２０８では装飾図柄の変動表示が行われている。また、装飾図柄表示装置２０８における演出表示領域２０８ｄの、特図１についての先読み演出が行われる左側部分には、保留１に対応した事前判定の結果に基づく先読み演出として「赤柄」の人型が表示され、保留２に対応した事前判定の結果に基づく先読み演出として「青柄」の人型が表示され、保留３に対応した事前判定の結果に基づく先読み演出として「ちょんまげ柄」の人型が表示されている。
【０２３０】
図１８（ｂ）では、同図（ａ）からの保留１に基づく特図１変動遊技が継続されている。この同図（ｂ）では、普図始動口２２８を遊技球Ｂが１球通過し、普図変動遊技に当選して、電サポ状態のもと一対の羽根部材２３２１が開き、第２特図始動口２３２へ遊技球Ｂが３球続けて進入する。特図２変動遊技の保留数は３つ増加し、特図２事前判定結果記憶領域３０８２には、保留３つ分の事前判定情報が格納される。同図（ｂ）に示す特図２事前判定結果記憶領域３０８２における保留１に対応した領域には、ハズレ図柄１を表す情報とノーマルリーチを表す情報が格納され、保留２および保留３それぞれに対応した領域には、ハズレ図柄１を表す情報とリーチなしを表す情報が格納されている。また、同図（ｂ）に示す装飾図柄表示装置２０８における演出表示領域２０８ｄの、特図２についての先読み演出が行われる右側部分には、保留１に対応した「青柄」の人型と、保留２に対応した「半透明柄」の人型と、保留３に対応した「青柄」の人型が表示されている。
【０２３１】
やがて、同図（ａ）から変動を続けていた保留１に基づく特図１表示装置２１２には同図（ｂ）に示すように大当り図柄３が停止表示される。また、装飾図柄表示装置２０８にはスーパーリーチの変動態様を経て大当り図柄３に対応した、図５（ｂ）に示す“装飾図柄の組合せ２”の一例である「装飾３−装飾３−装飾３」が停止表示する。ここで停止表示した大当り図柄３は、大当り遊技終了後、特図高確率普図高確率状態に移行する停止図柄であり、大当り遊技中は一旦、非電サポ状態になるが、大当り遊技が終了すると、電サポ状態へ移行する。
【０２３２】
次いで、特図２優先変動によって、特図２の保留が特図１の保留よりも先に消化される。「ちょんまげ柄」が大当りの信頼度が高いことを知っている遊技者は、特図１の「ちょんまげ柄」の先読み演出によって、ここでも特図１で大当りが獲得できたことを知り、今度は、特図２で大当りを獲得しようとして、第２特図始動口２３２を狙った右打ちを開始する。このように、特図１事前判定結果記憶領域３０８１内に大当り図柄（ここでは電サポ付き大当り図柄）を表す情報がある場合に、以降の先読み演出を行ってしまうと、以降に再び大当りがあった場合には、ストック方法が可能になり、誰にでも公平に楽しめる遊技台ではなくなってしまう。
【０２３３】
ここでは、図１８（ｂ）に示す大当り図柄３の停止表示に基づく大当り遊技が開始してから第１特図始動口２３０にも第２特図始動口２３２にも一球も入球がなかったことにして説明を続ける。同図（ｃ）には、特図２優先変動により特図２の保留１に基づくハズレの停止図柄（ハズレ図柄１）が停止表示されている。その後、特図２の保留が総て消化されてから、特図１の保留が順次消化される。やがて、特図１事前判定結果記憶領域３０８１に示す保留３に基づいた特図１変動遊技で大当りに当選し、図１５（ｄ）に示すように、装飾図柄表示装置２０８には、図５（ｂ）に示す“装飾図柄の組合せ２”の一例である「装飾７−装飾７−装飾７」が停止表示する。
【０２３４】
図１９は、第２実施形態のパチンコ機における演出の一例を示す図である。この図１９では、図１８に示す例との相違点を中心に説明し、重複する説明は省略することがある。
【０２３５】
第２実施形態のパチンコ機では、特図１事前判定結果記憶領域３０８１内に大当り図柄を表す情報がある場合には、以降の特図１の始動情報については先読みを行わず事前判定も行わずに未判定情報を記憶し、事前判定情報には基づかない報知態様、すなわちその未判定情報に基づく報知態様で先読み演出と同じ人型による先読関連演出を行う。特図１の保留１に大当り図柄を表す情報が格納されていることから、図１９（ａ）に示すように、未判定情報に基づき保留２については「青柄」、保留３については「半透明柄」の報知態様による先読関連演出が行われている。やがて、図１９（ｂ）に示すように、電サポ付きの大当り図柄３が停止表示されると、特図１についての「青柄」の人型と「半透明柄」の人型は、上級者であれば、先読関連演出であること見破る者もいる。しかしながら、このこと見破ることができる者は、先読み演出が行われる第２特図始動口２３２を最初から狙い、上述のストック方法はあきらめている。したがって、本実施形態のパチンコ機１００では、不公平感が生じずに、誰にでも公平に楽しめるものである。このことを見破ることができない者にとっては、先読関連演出を行っていても先読み演出が行われているように思う。先読関連演出を見破ることができない者のうち、「青型」が大当りの信頼度が低いことを知っている遊技者（例えば中級者）は、特図１で大当りを本当に獲得することができたとは思わないものの、少しの期待をいだき、遊技の興趣が向上する場合がある。人型の報知態様の信頼度について全く知らない遊技者（例えば初級者）は、「青型」であろうと人型の表示がなされたことで、遊技の興趣が大きく向上する場合がある。このように、第２実施形態のパチンコ機１００によれば、いずれ電サポ状態になる可能性があることを見越して早めに先読み演出を中止する一方で、遊技の興趣を向上させるために、先読み演出の代わりに先読関連報知を行い、予告演出によって遊技の興趣を高めながらも初中級者でも遊技を楽しむことができる。なお、いずれ電サポ状態になるか否かの見極めの精度を高めるには、特図１事前判定結果記憶領域３０８１内に電サポ付きの大当り図柄（大当り図柄１〜３）を表す情報がある場合に限って、以降は先読関連演出を行うようにすればよい。
【０２３６】
以上説明した第２実施形態のパチンコ機１００では、先読みした始動情報に基づく事前判定の結果が大当りになる始動情報（ここでは先始動情報と称する）よりも後に、特図１の保留記憶部に始動情報（ここでは後始動情報と称する）が記憶されている場合に、事前判定の結果には基づかずに後始動情報についての未判定情報が記憶されていることに基づいて先読関連演出を、後始動情報に基づく当否判定が行われる前に行う。
【０２３７】
続いて、本発明の第３実施形態のパチンコ機について説明する。ここでも、第１実施形態のパチンコ機１００における構成要素の名称と同じ名称の構成要素にはこれまで用いた符号と同じ符号を付して説明し、重複する説明は省略することがある。
【０２３８】
図２０は、第３実施形態における特図先読み処理の流れを示すフローチャートである。
【０２３９】
第３実施形態における主制御部３００のＣＰＵ３０４も、特図２の保留記憶部（第２の始動情報記憶部）に記憶されている始動情報を用いた先読み処理（特図２の先読み処理）については、図８に示す第１実施形態の先読み処理（ステップＳ２２１〜ステップＳ２２４）と同様の処理を行う（ステップＳ５２１〜ステップＳ５２４）。
【０２４０】
一方、特図１の保留記憶部に記憶されている始動情報を用いた先読み処理（特図１の先読み処理）では、特図１の始動情報（特図１大当り判定用乱数値、特図１判定用乱数値、および変動タイマ種別乱数値）の増加があったか否かを判定し（ステップＳ５２５）、増加していれば、「未判定情報」設定期間か否かを判定する（ステップＳ５２６）。ここでは、現在の状態が、電サポ状態中、大当り遊技実行中、非電サポ状態中の保留内に電サポ付きの大当り停止図柄が保留されている状態中、および変動中の当該変動の抽選結果が大当りとなる状態中のいずれかの状態中であれば「未判定情報」設定期間と判定し、いずれの状態中でもなければ「未判定情報」非設定期間と判定する。「未判定情報」設定期間でなければ（「未判定情報」非設定期間あれば）、ステップＳ５２７において、今回増加した特図１の始動情報のうちの特図１大当り判定用乱数値を先読みし、現在の制御状態が特図確変ありの状態か否かに基づいて、図９（ａ）に示す判定テーブルを用いて特図１の当否判定の事前判定を行い、次いで、特図１判定用乱数値を先読みし、その当否事前判定結果に基づいて、図９（ｂ）に示す判定テーブルを用いて特図１停止図柄態様の事前判定を行う。次いで、ステップＳ５２８において、特図１停止図柄態様の事前判定結果になる特図１事前判定結果を表す情報を、ＲＡＭ３０８に用意された特図１事前判定結果記憶領域に記憶し、ステップＳ５２９へ進む。
【０２４１】
反対に、「未判定情報」設定期間であれば、特図１事前判定結果記憶領域の、今回増加した特図１の始動情報の保留に対応した領域に、今回増加した特図１の始動情報に基づく停止図柄の事前判定が行われていないことを表す「未判定」情報を記憶し（ステップＳ５２９）、ステップＳ５３０へ進む。このステップＳ５２９では、「未判定」情報を、特図１事前判定結果記憶領域のうちの、特図１の停止図柄情報（特図１事前判定結果）を格納する領域に記憶する。
【０２４２】
ステップＳ５３０では、まず、特図１大当り判定用乱数値を再度先読みし、現在の制御状態が特図確変ありの状態か否かに基づいて、図９（ａ）に示す判定テーブルを用いて特図１の当否判定の事前判定を再度行い、当否事前判定結果を得る。なお、ステップＳ５２７を実行することで当否事前判定結果を得ている場合には、ステップＳ５２７で得た当否事前判定結果をここでも用いてもよい。
【０２４３】
図２１（ａ）は、第３実施形態において用いられる変動タイマ種別事前判定用テーブルを示す図である。この変動タイマ種別事前判定用テーブルも、主制御部３００のＲＯＭ３０６に記憶されている。
【０２４４】
ステップＳ５３０では、特図１の始動情報に含まれている変動タイマ種別乱数値（取り得る範囲は０〜２５５）を先読みし、当否事前判定結果が大当りあるいは小当りであった場合には、特図１の変動タイマ種別事前判定結果を、先読みした変動タイマ種別乱数値が０〜１２７であるときには「ノーマルリーチ」と判定し、１２８〜２５４であるときには「スーパーリーチ」と判定し、２５５であるときには「スペシャルリーチ」と判定する。この「スペシャルリーチ」は、当否事前判定結果がハズレであった場合には選択されない大当り専用の変動タイマ種別である。したがって、装飾図柄表示装置２０８にスペシャルリーチが表示されれば、当該図柄変動停止表示において大当り図柄が停止表示されることになる。なお、ここでの判定結果もあくまで事前判定の結果であり、第３実施形態では、図１１（ｃ）に示す変動タイマ種別決定用テーブルに代えて、図２１（ａ）に示す変動タイマ種別事前判定用テーブルの内容と同じ内容のテーブルを用いて、特図２関連処理（図６（ｂ）に示すステップＳ２１３）において、変動タイマ種別決定結果が得られる。
【０２４５】
ステップＳ５３０に続くステップＳ５３１では、ステップＳ５３０で得た特図１の変動タイマ種別事前判定結果が、大当り専用の「スペシャルリーチ」であるか否かを判定し、「スペシャルリーチ」でなければ、特図１事前判定結果記憶領域の、今回増加した特図１の始動情報の保留に対応した領域に、ステップＳ５３０で得た特図１の変動タイマ種別事前判定結果（「リーチなし」「ノーマルリーチ」「スーパーリーチ」のいずれか）を表す情報を記憶し（ステップＳ５３２）、図６（ｂ）に示す主制御部タイマ割込処理に復帰する。反対に、「スペシャルリーチ」であれば、特図１事前判定結果記憶領域の、今回増加した特図１の始動情報の保留に対応した領域に、今回増加した特図１の始動情報に基づく停止図柄の事前判定が行われていないことを表す「未判定」情報を記憶し（ステップＳ５３３）、図６（ｂ）に示す主制御部タイマ割込処理に復帰する。このステップＳ５３３では、「未判定」情報を、特図１事前判定結果記憶領域のうちの、特図１の変動タイマ種別情報を格納する領域に記憶する。
【０２４６】
図２１（ｂ）は、第３実施形態における特図１事前判定結果記憶領域に事前判定情報が記憶されている一例を示す図である。
【０２４７】
図２１（ｂ）に示す特図１事前判定結果記憶領域３０８１は、電サポ状態中、すなわち「未判定情報」設定期間中の特図１事前判定結果記憶領域３０８１であり、停止図柄情報を格納する領域には「未判定情報」が格納されている。また、上述したように、第３実施形態では、主制御部３００のＲＡＭ３０８における特図１事前判定結果記憶領域３０８１に、変動タイマ種別情報として、「リーチなし」を表す情報、「ノーマルリーチ」を表す情報、あるいは「スーパーリーチ」を表す情報は記憶する。これらの情報は、これらの情報だけでは当否判定結果が推測不能な情報である。一方、当否判定結果の推測が可能な変動タイマ種別事前判定結果になった場合（ここでは「スーパーリーチ」）には、未判定情報を再設定する。図２１（ｂ）に示す特図１事前判定結果記憶領域３０８１の保留１に対応する領域には、「スーパーリーチ」を表す情報が格納され、保留２に対応する領域には、「ノーマルリーチ」を表す情報が格納されている。一方、保留３に対応する領域には、「未判定情報」が格納されているが、実際には「スペシャルリーチ」である。本実施形態では、当否判定の推測が可能な変動タイマ種別情報が設定された場合には未判定情報を再設定する。
【０２４８】
図２２（ａ）は、第３実施形態におけるタイマ番号決定用テーブルを示す図である。図２２（ａ）示すタイマ番号決定用テーブルも、主御部３００のＲＯＭ３０６に記憶されている。
【０２４９】
第３実施形態における主制御部タイマ割込処理の特図関連処理（ステップＳ２１３）においても、変動タイマ種別決定結果が得られると、ＲＡＭ３０８に設けられたタイマ番号決定用乱数カウンタから、０から２５５の範囲の値を取り得るタイマ番号決定用乱数を取得する。主制御部３００のＣＰＵ３０４は、取得したタイマ番号決定用乱数に基づいて、図２２（ａ）に示すタイマ番号決定用テーブルに規定されているタイマ番号を判定する。この第３実施形態では、第１実施形態におけるタイマ１〜８に、タイマ９および１０が追加されている。
【０２５０】
図２２（ｂ）は、第３実施形態におけるタイマ９および１０と特図変動時間の関係を示す図である。
【０２５１】
図２２（ｂ）に示すように、タイマ９は特図変動時間が１８０秒の変動時間になることを表し、タイマ９に決定されると装飾図柄表示装置２０８における装飾図柄の変動パターンは全回転リーチＡが選択され、タイマ１０は特図変動時間が４５０秒の変動時間になることを表し、タイマ１０に決定されると装飾図柄表示装置２０８における装飾図柄の変動パターンは全回転リーチＢが選択される。
【０２５２】
図２２（ｃ）は、第３実施形態における先読み演出報知態様決定テーブルを示す図である。この図２２（ｃ）に示す先読み演出報知態様決定テーブルも第１副制御部４００のＲＯＭ４０６に記憶されている。
【０２５３】
第３実施形態の第１副制御部４００における先読み演出抽選処理（図１３（ｅ）参照）でも、ＲＡＭ４０８に設けられた先読み演出決定用乱数カウンタから、０から６５５３５の範囲の値を取り得る先読み演出決定用乱数を取得する。
【０２５４】
第１副制御部４００のＣＰＵ４０４は、取得した先読み演出決定用乱数に基づいて、図２２（ｃ）に示す先読み演出報知態様決定テーブルに規定されている先読み演出報知態様を判定する。第３実施形態では、停止図柄情報が未判定情報の場合であっても、変動タイマ種別情報は、「未判定情報」の他に「リーチなし」を表す情報、「ノーマルリーチ」を表す情報、あるいは「スーパーリーチ」を表す情報である場合がある。変動タイマ種別情報が「スーパーリーチ」を表す情報である場合には、信頼度の高い「赤柄」の報知態様による先読関連演出が出現する可能性を残している。こうすることで、当否判定後の予告演出の一種であるスーパーリーチによる演出と、当否判定前の予告演出の一種である先読関連演出との信頼度におけるバランスを保つことができる場合がある。
【０２５５】
なお、第３実施形態では、変動タイマ種別事前判定結果が「スペシャルリーチ」を表す情報の場合には「未判定情報」に置き換えるため、第１副制御部４００が「スペシャルリーチ」を表す情報を受信することはないが、「未判定情報」に置き換えずに「スペシャルリーチ」を表す情報を第１副制御部４００側に送信し、第１副制御部４００側で、「未判定情報」設定期間に「スペシャルリーチ」を表す情報を受け取った場合には、当該情報に基づかずに予告演出を決定するようにしても良い。例えば、「リーチなし」を表す情報から報知態様を選択するようにしてもよい。すなわち、図柄の変動表示態様から当否判定の結果が推測可能な遊技台であれば、推測可能な図柄の変動表示態様を第１副制御部４００へ送信した場合にのみ先読関連演出（事前演出）を実行し、それ以外の場合には図柄の変動表示態様に基づき先読み演出（事前予告報知）を行っても良い。こうすることでも大当りストックを防ぎつつ先読み演出の実行が可能となり、先読み演出された保留がリーチにならないといったことも無い。
【０２５６】
ところで、これまで説明したパチンコ機１００では、第一の始動領域の一例に相当する第１特図始動口２３０に入賞して特定の当否判定結果である大当りに当選した場合と、第二の始動領域の一例に相当する第２特図始動口２３２に入賞して特定の当否判定結果である大当りに当選した場合とで、遊技者に対する有利度は変わらなかったが、これらの場合で遊技者に対する有利度に差を設けてもよい。例えば、後者の場合の方が前者の場合よりも遊技者に対する有利度が高いようにしてもよい。すなわち、優先して変動する方の特図（ここでは特図２）の方が有利度が高いようにしてもよい。具体的には、ラウンド数が多い大当り（例えば、特図高確率普図高確率状態へ移行する１５Ｒの大当り図柄１）と少ない大当り（例えば、同じく特図高確率普図高確率状態へ移行するが２Ｒの大当り図柄３）とのうち、特図２の方がラウンド数が多い大当り（１５Ｒの大当り図柄１）に当選しやすく、特図１の方がラウンド数が少ない大当り（２Ｒの大当り図柄３）に当選しやすくするようにして、特図１と特図２に有利度の差を設けてもよい。このような、優先変動側の特図を非優先側の特図よりも有利度を高くしたパチンコ機では、有利度が低い特図１では特に図柄の変動時間が短いことが好ましい。有利度が高い特図２への入賞が容易な状態になる電サポ状態中は、保留増加に伴い図柄の変動時間の短縮機能が作動する可能性が高く、単位遊技の消化に必要な時間が短縮される確率が高まり、それに基づき大当りまでの時間が短縮される。この電サポ状態において、特図１について長い変動時間になりそうなことを事前予告してしまうと、遊技者にとって不利な大当りが付与される可能性が高いことを報知することになるため、遊技の興趣が低下する恐れがある。また特図２優先変動機では、特図２の優先度をあげるために、非優先側の特図１の消化時間（変動時間）を優先側の特図２の消化時間（変動時間）に比べ総じて長くなるようにしていることが多い。これは、特図２の優先度をあげるための他、有利度が低い特図１では図柄の変動時間を長くして特図１の変動停止表示中に特図２に入賞するチャンスを設けてあげるための構成とも見ることができる。したがって、電サポ状態中に特図１の事前予告を行うと、長い変動時間になりそうなことを予告する事前予告報知になりがちであり、電サポ状態で変動時間の短縮を期待している遊技者の興趣の低下が懸念される。
【０２５７】
しかしながら、これまで説明したパチンコ機１００によれば、特図１が長い変動時間になりそうなことを予告する先読み演出（事前予告報知）を、短い変動時間になりそうなことを予告する先読み演出の報知態様と同じ報知態様の先読関連演出（事前演出）に置き換えるため、上記のように遊技の興趣が低下してしまうことを防止することができる場合がある。
【０２５８】
以上、本発明をパチンコ機（弾球遊技機）に適用させた例について詳細に説明したが、本発明の遊技台は、これに限るものではなく、例えば、メダルや遊技球（パチンコ球）を使用する回胴遊技機（スロットマシン）にも適用可能である。すなわち、本実施形態で説明したパチンコ機１００は、ぱちんこ（１種＋１種）であるが、他のぱちんこ（例えば、１種、２種、３種、１種＋２種等）でもよく、スロット等（パロット、じゃん球）でもよい。
【０２５９】
図２３は、本発明を適用可能なスロットマシンの一例を示す図である。
【０２６０】
本発明に係る遊技台は、図２３に示す「複数種類の図柄が施され、回転駆動される複数のリール１００２と、リールの回転を指示するためのスタートレバー１００４と、各々のリールに対応して設けられ、リールの回転を個別に停止させるための停止ボタン１００６と、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理１００８）と、に加え、抽選手段の抽選結果に基づいて演出を実行する演出手段１０１０を備え、この演出手段が、所定の遊技領域１０１２に球を発射する発射装置１０１４と、発射装置から発射された球を入球可能に構成された入賞口１０１６と、入賞口１０１６に入球した球を検知する検知手段１０１８と、検知手段１０１８が球を検知した場合に球を払出す払出手段１０２０と、所定の図柄(識別情報)を変動表示する可変表示装置１０２２と、可変表示装置１０２２を遮蔽する位置に移動可能なシャッタ１０２４と、所定動作態様で動作する可動体１０２６と、を備え、入賞口に遊技球が入って入賞することを契機として、可変表示装置１０２２が図柄を変動させた後に停止表示させて、遊技を演出するような演出装置１０１０、であるスロットマシン１０００」にも好適である。
【０２６１】
図２４は、本発明を適用可能なその他の例を示す図である。
【０２６２】
本発明の遊技台は、図２４（ａ）に示す、「紙幣投入口２００２に紙幣を投入し、ベット２００４およびスタート２００６操作に基づいて抽選を実行し、抽選結果を抽選結果表示装置２００８で表示し、当選時には特典コイン数を残クレジット数に加算し、キャッシュアウト２００９が選択された場合には、レシート発行機２０１０から残クレジット数に対応するコードが記載されたレシートを発行するカジノマシン２０００」であってもよい。
【０２６３】
さらには、同図（ｂ）に示すように、本発明を実現する電子データを記憶する記憶部を備えている携帯電話機３０００、同図（ｃ）に示すように、本発明を実現する電子データを記憶する記憶部を備えているポータブルゲーム機４０００、本発明を実現する電子データを記憶する記憶部を備えている家庭用テレビゲーム機５０００、に適用してもよい。
より具体的には、同図（ｂ）における携帯電話機３０００は、遊技者によって操作される操作部と、ゲームに関するデータを携帯電話回線を通じで取得するデータ取得部と、取得したゲームに関するデータ（本発明を実現する電子データ）を記憶する記憶部と、記憶部に記憶したデータと操作部の操作とに基づいてゲームの制御を行う制御部を備えている。
【０２６４】
同図（ｃ）におけるポータブルゲーム機４０００は、遊技者によって操作される操作部と、ゲームに関するデータを所定の記憶媒体（ＤＶＤ等）から取得するデータ取得部と、取得したゲームに関するデータ（本発明を実現する電子データ）を記憶する記憶部と、記憶部に記憶したデータと操作部の操作とに基づいてゲームの制御を行う制御部を備えている。同図（ｃ）における家庭用テレビゲーム機５０００は、遊技者によって操作される操作部と、ゲームに関するデータを所定の記憶媒体（ＤＶＤ等）から取得するデータ取得部と、取得したゲームに関するデータ（本発明を実現する電子データ）を記憶する記憶部と、記憶部に記憶したデータと操作部の操作とに基づいてゲームの制御を行う制御部を備えている。
【０２６５】
さらには、同図（ｄ）に示すように、本発明を実現する電子データを記憶したデータサーバ６０００に適用してもよい。このデータサーバ６０００からインタネット回線を介して同図（ｄ）に示す家庭用テレビゲーム機５０００に本発明を実現する電子データをダウンロードするような場合がある。
【０２６６】
また、パチンコ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０２６７】
以上の説明では、『当否判定の結果が特定の当否判定結果（例えば、大当り）である場合に、遊技者に対する有利度が第一の有利度である第一の制御状態（例えば、非大当り遊技状態）から該第一の有利度よりも前記有利度が高い第二の有利度である第二の制御状態（例えば、大当り遊技状態）に制御状態を移行させる遊技台（例えば、パチンコ機１００）において、所定の第一の始動領域（例えば、第１特図始動口２３０）と、前記第一の始動領域とは異なる第二の始動領域（例えば、第２特図始動口２３２）と、前記第一の始動領域に遊技球が進入したことに基づいて始動情報（例えば、特図１大当り判定用乱数値、特図１判定用乱数値、および変動タイマ種別乱数値）を所定の上限数（例えば、４個）まで記憶可能な第一の始動情報記憶部（例えば、特図１の保留記憶部）と、前記第二の始動領域に遊技球が進入したことに基づいて始動情報（例えば、特図２大当り判定用乱数値、特図２判定用乱数値、および変動タイマ種別乱数値）を所定の上限数（例えば、４個）まで記憶可能な第二の始動情報記憶部（例えば、特図２の保留記憶部）と、前記第一の始動情報記憶部および前記第二の始動情報記憶部のうちの両方に始動情報が記憶されている場合には、該第二の始動情報記憶部から始動情報を取得し、該第一の始動情報記憶部および該第二の始動情報記憶部のうちの一方に始動情報が記憶されている場合には、始動情報が記憶されている始動情報記憶手段から始動情報を取得する始動情報取得手段（例えば、主制御部３００のＣＰＵ３０４）と、前記始動情報取得手段が取得した始動情報に基づいて前記当否判定を行う当否判定手段（例えば、主制御部３００のＣＰＵ３０４）と、複数種類用意された変動表示態様（例えば、「リーチなし」「ノーマルリーチ」「スーパーリーチ」）の中から決定された変動表示態様で図柄の変動表示を行なってから、前記当否判定の結果（例えば、大当り、小当り、ハズレ）に対応した図柄態様（例えば、図５（ｂ）に示す装飾図柄）を停止表示する図柄表示手段（例えば、装飾図柄表示装置２０８）と、前記第一の始動情報記憶部に記憶されている始動情報を、当該始動情報に基づく当否判定が行われる前に先読みする始動情報先読手段（例えば、ステップＳ２２８を実行するＣＰＵ３０４）と、前記当否判定の結果が前記特定の当否判定結果になるか否かを、前記始動情報先読手段が先読みした始動情報に基づいて当該始動情報に基づく当否判定が行われる前に事前判定する当否事前判定手段（例えば、ステップＳ２２８を実行するＣＰＵ３０４）と、前記当否判定の結果が前記特定の当否判定結果になることを事前予告する事前予告報知（例えば、先読み演出）を、当該当否判定が行われる前に第一の報知態様（例えば、「ちょんまげ柄」「赤柄」「黄柄」「青柄」「半透明柄」）で、前記当否事前判定手段による事前判定の結果に基づいて行う事前予告手段（例えば、第１副制御部４００、第２副制御部５００、および装飾図柄表示装置２０８を併せたもの）と、前記当否事前判定手段による事前判定の結果には基づかずに始動情報が該第一の始動情報記憶部に記憶されていることに基づいて、前記第一の報知態様に関連した第二の報知態様（例えば、「黄柄」「青柄」「半透明柄」）で遊技を演出する事前演出（例えば、先読関連演出）を、該第一の始動情報記憶部に記憶されている始動情報に基づく当否判定が行われる前に行う事前演出手段（例えば、第１副制御部４００、第２副制御部５００、および装飾図柄表示装置２０８を併せたもの）とを備え、前記第一の始動情報記憶部は、前記始動情報として、前記当否判定に用いられる当否判定用情報（例えば、特図１大当り判定用乱数値）と、前記図柄の変動表示態様の種類の決定に用いられる変動表示態様決定用情報（例えば、変動タイマ種別乱数値）とを含んだ情報を記憶するものであることを特徴とする遊技台。』の説明がなされている。
【０２６８】
当否判定用情報と変動表示態様決定用情報に基づき事前予告報知の報知態様を決定することで図柄の変動表示に対応した的確な演出の実行が可能になると共に、事前予告報知により、事前予告報知の対象となる保留以前の演出の期待感が打ち消されることを抑止することができる場合がある。すなわち、当否判定結果が「ハズレ」でありながら図柄の変動表示の期間長が長くなる等の場合のみを演出によって的確に煽ることが出来るようになりつつ、事前予告報知を実行することで、それ以前の演出に対する期待を低下させることを防止することができる場合がある。
【０２６９】
また、予告に関連した事前演出が行われることで、演出効果が向上し、遊技の興趣を向上させることができる場合がある。
【０２７０】
ここにいう前記第一の報知態様に関連した第二の報知態様は、該第一の報知態様と同じ態様のものであってもよい。また、前記第一の報知態様による事前予告報知は前記事前判定の結果に基づく報知であるのに対して、前記事前演出は前記事前判定の結果に基づかない報知である。すなわち、前記第一の始動情報記憶部に記憶されている始動情報に基づく当否判定が行われる前に行われる、前記第一の報知態様による事前予告報知は、当該当否判定の結果が前記特定の判定結果になる信頼度が相対的に高い報知であるのに対して、前記事前演出は、当該当否判定の結果が前記特定の判定結果になる信頼度が相対的に低い報知であってもよい。また、前記第一の報知態様による事前予告報知には、偽の報知も含まれていてよい。
【０２７１】
また、ここにいう事前判定の結果には基づかずとは、前記事前判定を行わないことや、あるいは前記事前判定は行うが、該事前判定の結果を無視することや該事前判定の結果とは異なる情報に基づくことが含まれる。
【０２７２】
またこれまでの説明においては、『前記事前演出手段（例えば、第１副制御部４００、第２副制御部５００、および装飾図柄表示装置２０８を併せたもの）は、先読みした始動情報に基づく事前判定の結果が前記特定の当否判定結果（例えば、大当り）になる先始動情報（例えば、保留１の始動情報）よりも後に前記第一の始動情報記憶部（例えば、特図１の保留記憶部）に後始動情報（例えば、保留２の始動情報）が記憶されている場合に、前記当否事前判定手段（例えば、ステップＳ２２８を実行するＣＰＵ３０４）による事前判定の結果には基づかずに該後始動情報が該第一の始動情報記憶部に記憶されていることに基づいて前記事前演出を、該後始動情報に基づく当否判定が行われる前に行うことを特徴とする遊技台。』についても説明がなされている。
【０２７３】
この遊技台によれば、遊技者に有利な期間中に、遊技者に有利となる権利を複数保留させる可能性を低減させることで、遊技の公平性を担保することができる場合がある。
【０２７４】
ここで、先読みした始動情報に基づく事前判定の結果が前記特定の当否判定結果になる先始動情報よりも後に前記第一の始動情報記憶部に後始動情報が記憶されている場合に、該後始動情報について、前記事前判定を行わずに該事前判定を行っていないことを表す未判定情報を記憶する未判定情報記憶部を備え、前記事前演出手段は、前記未判定情報記憶部に前記未判定情報が記憶されていることに基づいて前記事前演出を、前記第一の始動情報記憶部に記憶されている前記後始動情報に基づく当否判定が行われる前に行うものであってもよい。
【０２７５】
また、前記事前演出手段は、前記未判定情報記憶部に前記未判定情報が記憶されていることに基づいて前記事前演出を、前記第一の始動情報記憶部に記憶されている前記後始動情報に基づく当否判定が行われる前に所定確率で行うものであってもよい。ここにいう所定確率は事前演出を行う確率であり、事前演出を行う確率と行わない確率とが異なる確率であってもよく、事前演出を行う確率が行わない確率よりも低い確率であってもよい。
【０２７６】
またこれまでの説明においては、『前記第二の始動領域（例えば、第２特図始動口２３２）は、遊技球の進入のしやすさが可変の始動領域であり、前記当否判定の結果が前記特定の当否判定結果（例えば、電サポ付き大当り）であった場合に、所定の第一の進入率制御状態（例えば、非電サポ状態）から該第一の進入率制御状態よりも遊技球が前記第二の始動領域に進入しやすい第二の進入率制御状態（例えば、電サポ状態）へ、該第二の始動領域における遊技球の進入のしやすさを変化させる進入率変化手段を備えたことを特徴とする遊技台。』についても説明がなされている。
【０２７７】
この遊技台によれば、特に第二の始動領域に遊技球が進入しやすい期間中に、遊技者に有利となる権利を複数保留させ可能性を低減させることで、遊技の公平性を担保することができる場合がある。
【０２７８】
またこれまでの説明においては、『所定の閉状態および該閉状態よりも遊技球の入賞が容易な所定の開状態のうちの一方から他方に開閉状態を変化可能な可変入賞手段（例えば、可変入賞口２３４）を備え、前記第二の制御状態は、前記閉状態から開状態に前記可変入賞手段の開閉状態を変化させる動作を含む制御状態（例えば、大当り遊技状態）と、前記第二の進入率制御状態（例えば、電サポ状態）を含み、前記事前演出手段（例えば、第１副制御部４００、第２副制御部５００、および装飾図柄表示装置２０８を併せたもの）は、前記第二の制御状態中は前記事前演出（先読関連演出）を行うことを特徴とする遊技台。』についても説明がなされている。
【０２７９】
この遊技台によれば、特に第二の始動領域に遊技球が進入しやすい期間および該期間に移行する可能性が高い期間中に、遊技者に有利となる権利を複数保留させ可能性を低減させることで、遊技の公平性を担保することができる場合がある
さらにこれまでの説明においては、『複数種類用意された変動表示態様（例えば、「リーチなし」「ノーマルリーチ」「スーパーリーチ」）の中から前記図柄表示手段における図柄の変動表示態様を、前記当否判定用情報（例えば、特図１大当り判定用乱数値）および前記変動表示態様決定用情報（例えば、変動タイマ種別乱数値）に基づいて決定する変動表示態様決定手段（例えば、主制御部３００のＣＰＵ３０４）を備え、前記事前予告手段（例えば、第１副制御部４００、第２副制御部５００、および装飾図柄表示装置２０８を併せたもの）は、前記始動情報先読手段が先読みした前記当否判定用情報（例えば、特図１大当り判定用乱数値）および該始動情報先読手段が先読みした前記変動表示態様決定用情報（例えば、変動タイマ種別乱数値）に基づいた前記第一の報知態様（例えば、「ちょんまげ柄」「赤柄」「黄柄」「青柄」「半透明柄」）で前記事前予告報知を行うことを特徴とする遊技台。』についても説明がなされている。
【０２８０】
すなわち、前記変動表示態様決定手段は、前記図柄表示手段における図柄の変動表示態様を、前記当否判定結果および前記変動表示態様決定用情報に基づいて決定するものであり、前記事前予告手段は、前記変動表示態様決定用情報および前記当否事前判定手段が事前判定した当否判定結果に基づいて前記第一の報知態様（例えば、「ちょんまげ柄」「赤柄」「黄柄」「青柄」「半透明柄」）を決定する第一報知態様決定手段を有する。
【０２８１】
この遊技台によれば、図柄の変動表示に対応した事前予告報知を行うことで、演出効果が向上し、遊技の興趣を向上させることができる場合がある。
【０２８２】
なお、前記変動表示態様から前記当否判定の結果が推測可能であって、前記変動表示態様から推測した当否判定の結果と実際の当否判定の結果は確率的に所定確率（１００％であってもよいし、１００％未満であってもよい）で一致するように構成されていてもよい。
【０２８３】
また、前記当否判定の結果に基づいて図柄の変動表示期間を決定する変動期間決定手段を備え、前記図柄表示手段は、前記変動期間決定手段が決定した図柄の変動表示期間に亘って図柄を変動表示させた後、前記当否判定の結果に対応した停止図柄態様で図柄を停止表示する、図柄の変動表示開始から該図柄の停止表示までの一連の図柄変動停止表示を行うものであってもよい。
【０２８４】
さらに、前記複数種類用意された変動表示態様の中からいずれの変動表示態様に決定されるかを、前記始動情報先読手段が先読みした始動情報（変動表示態様決定用情報）に基づいて当該始動情報に基づく当否判定が行われる前に事前判定する変動表示態様事前判定手段を備えていてもよい。
【０２８５】
またさらに、前記当否判定の結果に対応した図柄態様を前記始動情報に基づいて決定する図柄態様決定手段と、前記図柄態様決定手段が決定する図柄態様を、前記始動情報先読手段が先読みした始動情報（図柄態様決定用情報）に基づいて当該始動情報に基づく当否判定が行われる前に事前判定する図柄態様事前判定手段を備えていてもよい。
【０２８６】
また、前記事前予告手段は、前記変動表示態様事前判定手段が事前判定した変動表示態様に基づいた第一の報知態様で前記事前予告報知を行う第１の態様であってもよいし、前記図柄態様事前判定手段が事前判定した図柄態様に基づいた第一の報知態様で前記事前予告報知を行う第２の態様であってもよいし、あるいは前記当否事前判定手段が事前判定した当否判定の結果に基づいた第一の報知態様で前記事前予告報知を行う第３の態様であってもよいし、第１の態様から第３の態様のうちの２つの態様あるいは３つの態様を組み合わせた態様であってもよい。
【０２８７】
また、前記事前演出手段は、前記変動表示態様事前判定手段が事前判定した変動表示態様に基づいた第二の報知態様で前記事前演出を行うものであってもよい。
【０２８８】
以下、これまで説明したことも含めて付記する。
【０２８９】
（付記１）
遊技球が始動領域に進入した場合に、始動情報を導出する始動情報導出手段と、
前記始動領域のうち第一の始動領域に遊技球が進入したことに基づいて、前記始動情報を所定の上限数まで記憶可能な第一の始動情報記憶手段と、
前記始動領域のうち前記第二の始動領域に遊技球が進入したことに基づいて、前記始動情報を所定の上限数まで記憶可能な第二の始動情報記憶手段と、
前記第一の始動情報記憶手段および前記第二の始動情報記憶手段のうちの両方に前記始動情報が記憶されている場合には、前記第二の始動情報記憶手段から始動情報を取得し、前記第一の始動情報記憶手段および前記第二の始動情報記憶手段のうちの一方に前記始動情報が記憶されている場合には、前記始動情報が記憶されている始動情報記憶手段から始動情報を取得するように構成された始動情報取得手段と、
前記始動情報に基づいて当否判定を行なう当否判定手段と、
前記当否判定結果が特定の当否判定結果である場合に、遊技者に対する有利度が第一の有利度である第一の制御状態から該第一の有利度より有利度が高い第二の有利度である第二の制御状態に制御状態を移行させる制御状態移行手段と、
所定の態様で図柄を変動表示させた後、前記当否判定手段による当否判定結果に対応した図柄態様を停止表示する図柄変動停止表示を行なう図柄表示手段と、
前記当否判定手段が当否判定を行なうよりも前に、前記第一の始動情報記憶手段に記憶されている始動情報を先読みする始動情報先読手段と、
前記第一の始動情報記憶手段に記憶されている所定の始動情報に基づく当否判定が前記当否判定手段によって行なわれるよりも前に、前記始動情報先読手段によって先読みされた該所定の始動情報に基づいて該当否判定手段が前記特定の当否判定結果を導出するかどうかを事前判定する事前判定手段と、
前記事前判定結果に基づいて、前記当否判定手段が前記特定の当否判定結果を導出することを事前予告するための事前予告報知を、前記当否判定手段が当否判定を行なうよりも前に第一の報知態様で行なう事前予告手段と、
所定の第一の進入率制御状態と該第一の進入率制御状態よりも遊技球が前記第二の始動領域に進入しやすい第二の進入率制御状態の一方から他方に前記第二の始動領域への遊技球の進入のしやすさを変化させる進入率変化手段と、
を備えた遊技台であって、
前記第一の始動情報記憶手段に記憶されている所定の始動情報に基づく当否判定が前記当否判定手段によって行なわれるよりも前に、前記事前判定手段による前記事前判定には基づかず、かつ該所定の始動情報が前記第一の始動情報記憶手段に記憶されていることに基づいて、前記当否判定手段が当否判定を行なうよりも前に前記第一の報知態様に関連した第二の報知態様で遊技を演出する事前演出を行なう事前演出手段を備え、
前記始動情報は、
前記当否判定手段に用いられる当否判定用情報と、
前記図柄の変動表示態様の種類の決定に用いられる変動表示態様決定用情報と、
を含むことを特徴とする遊技台。
【０２９０】
（付記２）
付記１記載の遊技台において、
前記第一の始動情報記憶手段に記憶されている特定の始動情報に基づく当否判定が前記当否判定手段によって行われるよりも前に、前記始動情報先読み手段により先読みされた該特定の始動情報に基づいて前記当否判定手段が前記特定の当否判定結果を導出すると前記事前判定手段により事前判定された場合に、
前記特定の始動情報よりも後で前記始動情報導出手段により導出された所定の始動情報が、前記第一の始動情報記憶手段に記憶されていることに基づいて、前記事前演出手段による前記事前演出が行われることを特徴とする遊技台。
【０２９１】
（付記３）
付記１又は２記載の遊技台において、
前記当否判定結果が特定の当否判定のうち特別な当否判定であった場合に、
前記制御状態移行手段は、前記第二の進入率制御状態に前記制御状態を移行させるように構成し、
前記第一の始動情報記憶手段に記憶されている特定の始動情報に基づく当否判定が前記当否判定手段によって行われるよりも前に、前記始動情報先読み手段により先読みされた該特定の始動情報に基づいて前記当否判定手段が前記特別な当否判定結果を導出すると前記事前判定手段により事前判定された場合に、
前記特定の始動情報よりも後で前記始動情報導出手段により導出された所定の始動情報が、前記第一の始動情報記憶手段に記憶されていることに基づいて、前記事前演出手段による前記事前演出が行われることを特徴とする遊技台。
【０２９２】
（付記４）
付記１乃至３のいずれかに記載の遊技台において、
所定の閉状態および該閉状態よりも遊技球の入賞が容易な所定の開状態のうちの一方から他方に開閉状態を変化可能な可変入賞手段を備え、
前記第二の制御状態は、前記閉状態から開状態に前記可変入賞手段の開閉状態を変化させる動作を含む制御状態と、前記第二の進入率制御状態を含み、
前記第二の制御状態中は、前記事前演出手段による前記事前演出が行われることを特徴とする遊技台。
【０２９３】
（付記５）
付記１乃至４のいずれかに記載の遊技台において、
前記当否判定手段は、前記当否判定結果と、前記変動表示態様決定用情報と、に基づき図柄変動表示態様を決定する変動表示態様決定手段と、を含み、
前記事前予告手段は、前記当否判定結果と前記図柄変動表示態様とに基づき前記事前予告報知態様を決定することを特徴とする遊技台。
【０２９４】
なお、以上説明した各実施形態や付記の記載それぞれにのみ含まれている構成要件であっても、その構成要件を他の実施形態や付記に適用してもよい。
【符号の説明】
【０２９５】
１００    パチンコ機
２０８    装飾図柄表示装置
２１０    普図表示装置
２１２    第１特図表示装置
２１４    第２特図表示装置
２２８    普図始動口
２３０    第１特図始動口
２３２    第２特図始動口
２３２１    羽根部材
２３４    可変入賞口
３００    主制御部
３０４    ＣＰＵ
３０６    ＲＯＭ
３０８    ＲＡＭ
４００    第１副制御部
４０４    ＣＰＵ
４０６    ＲＯＭ
４０８    ＲＡＭ
５００    第２副制御部
６００    払出制御部
【図１】
0005391507.tif 000002
【図２】
0005391507.tif 000003
【図４】
0005391507.tif 000004
【図５】
0005391507.tif 000005
【図６】
0005391507.tif 000006
【図７】
0005391507.tif 000007
【図８】
0005391507.tif 000008
【図９】
0005391507.tif 000009
【図１０】
0005391507.tif 000010
【図１１】
0005391507.tif 000011
【図１２】
0005391507.tif 000012
【図１３】
0005391507.tif 000013
【図１４】
0005391507.tif 000014
【図１７】
0005391507.tif 000015
【図１８】
0005391507.tif 000016
【図１９】
0005391507.tif 000017
【図２０】
0005391507.tif 000018
【図２１】
0005391507.tif 000019
【図２２】
0005391507.tif 000020
【図３】
0005391507.tif 000021
【図１５】
0005391507.tif 000022
【図１６】
0005391507.tif 000023
【図２３】
0005391507.tif 000024
【図２４】
0005391507.tif 000025